(57)【特許請求の範囲】
【請求項１】
経時的に可変の信号密度を有する信号を送信または受信することに使用するためのリソースを定義する信号パターンを取得することと、ここにおいて、前記信号は、信号バーストを定義する複数の信号を含む、
前記信号バーストの期間に対応する不連続受信（ＤＲＸ）期間をアラインすることを含む、前記信号パターンに基づいて前記リソースを構成することと、
経時的に可変の密度信号送信または受信を達成するために前記信号パターンにしたがって、前記ＤＲＸ期間とアラインされた前記信号バーストを含む、前記信号を送信または受信することと、を備え、
前記信号を送信または受信することは、前記ＤＲＸ期間とアラインされた不連続送信（ＤＴＸ）期間において前記信号を送信すること、または前記ＤＲＸ期間において前記信号を受信することをさらに備え、
前記信号を送信または受信することは、第１の密度および第１の周期性を有する第１のセットの信号を送信または受信すること、および第２の密度および第２の周期性を有する第２のセットの信号を送信または受信することをさらに備え、
前記第１の密度は、前記第２の密度よりも小さく、
前記第２のセットの信号は、前記信号バーストを備え、
前記第１の周期性は前記第２の周期性よりも、信号の存在のないより短い最大持続時間を提供する、
エネルギー効率の良いワイヤレス通信の方法。
【請求項２】
前記信号パターンを取得することは、送信パターンを取得することをさらに備え、前記信号を送信または受信することは、ユーザ機器（ＵＥ）の前記ＤＲＸ期間とアラインされた基地局の前記ＤＴＸ期間において前記送信パターンにしたがって前記信号を送信することをさらに備える、請求項１に記載の方法。
【請求項３】
複数のＵＥのための共通のＤＲＸサブフレームオフセットを設定することをさらに備え、前記ＵＥの前記ＤＲＸ期間は、前記共通のＤＲＸサブフレームオフセットに対応する、請求項２に記載の方法。
【請求項４】
サブフレームオフセットのセット内でそれぞれのＵＥ ＤＲＸ期間を有する複数のＵＥを構成することをさらに備え、前記サブフレームオフセットのセットは、全ての可能なサブフレームオフセットよりも小さく、各ＵＥ ＤＲＸ期間は、サブフレームオフセットの前記セットのうちの異なる１つに基づき、
前記送信パターンにしたがって前記信号を送信することは、前記複数のＵＥの前記それぞれのＵＥ ＤＲＸ期間とアラインされた前記基地局の前記ＤＴＸ期間において送信することをさらに備える、請求項２に記載の方法。
【請求項５】
前記送信パターンにしたがって前記信号を送信することは、
前記第１の密度を有する前記第１のセットの信号を送信することと、
前記第２の密度を有する前記第２のセットの信号を送信することと、
をさらに備える、請求項２に記載の方法。
【請求項６】
前記第１の密度および第１の周期性を有する前記第１のセットの信号を送信することは、前記ＵＥによる接続されたモード緊急検出をサポートするための前記第１の周期性にしたがって第１の同期信号を備える前記第１のセットの信号を送信することをさらに備え、前記第２の密度および第２の周期性を有する前記第２のセットの信号を送信することは、前記ＵＥによる第２の同期信号の発見をサポートするために前記第２の周期性にしたがって第２の同期信号を備える前記第２のセットの信号を送信することをさらに備える、請求項５に記載の方法。
【請求項７】
前記第１の周期性は、一定の周期性を備え、前記第２の周期性は、不規則な周期性を備える、請求項５に記載の方法。
【請求項８】
前記第１のセットの信号および前記第２のセットの信号は、同一のセットの信号または異なるセットの信号のいずれかを備える、請求項５に記載の方法。
【請求項９】
前記第１のセットの信号または前記第２のセットの信号のうちの少なくとも１つは、各密度期間内に異なる属性を有する同一のセットの信号を備える、請求項５に記載の方法。
【請求項１０】
２つ以上のそれぞれの密度期間の間、前記第１のセットの信号または前記第２のセットの信号のいずれかにおいて、前記信号を変化させることをさらに備える、請求項５に記載の方法。
【請求項１１】
前記第１の周期性および前記第２の周期性の両方にしたがって前記信号を送信することは、前記第１の周期性および前記第２の周期性の間の異なる持続期間にわたって同一の信号のセットを送信することをさらに備える、請求項５に記載の方法。
【請求項１２】
前記信号バーストに対応する前記ＵＥの前記ＤＲＸ期間を決定することと、
前記信号バーストに対応する前記ＵＥの前記ＤＲＸ期間にしたがってＵＥ ＤＲＸモードの構成を行わせるために前記ＵＥに構成メッセージを送信することと、
をさらに備える、請求項２に記載の方法。
【請求項１３】
前記信号を送信または受信することは、基準信号またはブロードキャスト信号を送信することをさらに備える、請求項１に記載の方法。
【請求項１４】
基準信号を送信することは、プライマリ同期信号（ＰＳＳ）、またはセカンダリ同期信号（ＳＳＳ）、または共通基準信号（ＣＲＳ）、またはチャネル状態情報基準信号（ＣＳＩ−ＲＳ）のうちの１つ以上を送信することをさらに備え、ブロードキャスト信号を送信することは、システム情報信号またはページング信号のうちの１つ以上を送信することを備える、請求項１３に記載の方法。
【請求項１５】
前記信号バーストを含む、前記信号パターンを識別する信号タイミングインジケータを生成することと、
前記信号タイミングインジケータを１つまたは複数のユーザ機器（ＵＥ）に送信することと、
をさらに備える、請求項１に記載の方法。
【請求項１６】
前記信号パターンを取得することは、前記信号バーストを含む受信パターンを取得することをさらに備え、
前記信号バーストに対応する前記ＵＥのＵＥ ＤＴＸ期間となるように前記ＤＴＸ期間を決定することと、
前記ＵＥ ＤＴＸ期間にしたがってＵＥ ＤＴＸモードの構成を行わせるために前記ＵＥに構成メッセージを送信することと、
をさらに備える、請求項１に記載の方法。
【請求項１７】
前記信号パターンの前記信号バーストに対応する基地局ＤＲＸ期間となるようにＤＲＸ期間を構成することをさらに備え、
前記信号を送信または受信することは、前記信号パターンにしたがって前記基地局ＤＲＸ期間において、前記信号バーストを含む、前記信号を受信することをさらに備える、請求項１６に記載の方法。
【請求項１８】
前記受信パターンを取得することは、前記第１の信号密度を有する前記第１のセットの信号および前記第２の信号密度を有する第２のセットの信号のための前記受信パターンを取得することをさらに備え、
前記ＵＥのための第１のランダムアクセスチャネル（ＲＡＣＨ）構成および第２のＲＡＣＨ構成を取得することと、ここにおいて、前記第１のＲＡＣＨ構成は前記第１の信号密度を有する前記受信パターンに対応し、前記第２のＲＡＣＨ構成は前記第２の信号密度を有する前記受信パターンに対応する、
前記第１のＲＡＣＨ構成および前記第２のＲＡＣＨ構成を前記ＵＥに送信することと
をさらに備える、請求項１６に記載の方法。
【請求項１９】
前記信号を送信または受信することは、データ信号、またはスケジューリング要求（ＳＲ）信号、またはチャネル品質インジケータ（ＣＱＩ）信号、または復調基準信号（ＤＭ−ＲＳ）、またはサウンディング基準信号（ＳＲＳ）、または物理ランダムアクセスチャネル（ＰＲＡＣＨ）信号のうちの１つまたは複数のものを受信することをさらに備える、請求項１６に記載の方法。
【請求項２０】
前記信号パターンを取得することは、基地局ＤＴＸ期間を備える前記ＤＴＸ期間の間、前記信号バーストを定義する送信パターンを取得することをさらに備え、
前記基地局ＤＴＸ期間に対応する、サブフレームオフセットのセット内の、ＵＥ信号受信パターンを含む前記ＵＥのためのＵＥウェイクアップ構成を取得することと、ここにおいて、サブフレームオフセットの前記セットは、全ての可能なサブフレームオフセットよりも小さく、前記ＵＥ信号受信パターンは、サブフレームオフセットの前記セットに基づく、
前記基地局ＤＴＸ期間にしたがってＵＥウェイクアップ期間の構成を行わせるために前記ＵＥに前記ＵＥウェイクアップ構成を送信することと
をさらに備え、前記信号を送信または受信することは、前記ＵＥウェイクアップ構成に対応する前記基地局ＤＴＸ期間における前記送信パターンにしたがって前記信号バーストを含む前記信号を送信することをさらに備える、請求項１に記載の方法。
【請求項２１】
前記信号パターンにしたがって前記信号を送信または受信することは、前記第１のセットの信号および前記第２のセットの信号を送信することをさらに備え、
前記第１のセットの信号における第１のセットの制御信号、および前記第２のセットの信号における第２のセットの制御信号を送信することをさらに備え、前記第２の信号密度の間の前記第２のセットの制御信号における制御信号の数は、前記第１の信号密度の間の前記第１のセットの制御信号における制御信号の数よりも大きい、請求項１に記載の方法。
【請求項２２】
前記信号パターンにしたがって前記信号を送信または受信することは、前記第１のセットの信号および前記第２のセットの信号を送信することをさらに備え、
ウェイクアップメッセージを送信することと、前記ウェイクアップメッセージは、前記第２の信号密度の間に送信される１つまたは複数の信号に対応するサブフレーム間ウェイクアップインジケータを備える、
をさらに備える、請求項１に記載の方法。
【請求項２３】
前記信号パターンにしたがって前記信号を送信または受信することは、ニューキャリアタイプ（ＮＣＴ）またはエクステンションキャリアを送信することをさらに備える、請求項１に記載の方法。
【請求項２４】
前記信号パターンにしたがって前記信号を送信または受信することは、基地局、またはユーザ機器（ＵＥ）、または中継器、またはフェムトノード、または遠隔無線ヘッド（ＲＲＨ）、または宅内機器（ＣＰＥ）、またはＵＥ中継器のうちの少なくとも１つによって送信または受信することをさらに備える、請求項１に記載の方法。
【請求項２５】
別のセルまたは別のキャリアのうちの少なくとも１つを用いて前記信号パターンにしたがって前記信号の前記送信または受信を協調することをさらに備える、請求項１に記載の方法。
【請求項２６】
前記信号パターンを取得することは、同期信号のセットを含む前記第１のセットの信号を取得すること、および信号バーストのセットを含む前記第２のセットの信号を取得することと、ここで、前記信号バーストのセットの各信号バーストの期間は、複数の通信デバイスの複数の不連続受信（ＤＲＸ）期間の期間とそれぞれアラインされる、
前記信号パターンに基づいて前記複数の通信デバイス間で基準信号を通信することと、
を備える、請求項１に記載の方法。
【請求項２７】
前記第２の周期性の第２の期間は、前記第１の周期性の第１の期間よりも小さい、請求項１に記載の方法。
【請求項２８】
前記第１の周期性または前記第２の周期性のうちの少なくとも１つは不規則である、請求項１に記載の方法。
【請求項２９】
エネルギー効率の良いワイヤレス通信のための、コンピュータ実行可能なコードを記憶する非一時的コンピュータ読取可能な媒体であって、
少なくとも１つのコンピュータに、経時的に可変の信号密度を有する信号を送信または受信することに使用するためのリソースを定義する信号パターンを取得させるためのコードと、前記信号は、信号バーストを定義する複数の信号を含む、
前記少なくとも１つのコンピュータに、前記信号バーストの期間に対応する不連続受信（ＤＲＸ）期間をアラインすることを含む、前記信号パターンに基づいて前記リソースを構成させるためのコードと、
前記少なくとも１つのコンピュータに、経時的に前記可変の信号密度を達成するために前記信号パターンにしたがって、前記ＤＲＸ期間とアラインされた前記信号バーストを含む、前記信号を送信または受信させるためのコードと、を含み、
前記少なくとも１つのコンピュータに、前記信号を送信または受信させるための前記コードは、前記少なくとも１つのコンピュータに、前記ＤＲＸ期間とアラインされた不連続送信（ＤＴＸ）期間において前記信号を送信させる、または前記ＤＲＸ期間において前記信号を受信させるためのコードをさらに備え、
前記信号は、第１の密度および第１の周期性を有する第１のセットの信号、および第２の密度および第２の周期性を有する第２のセットの信号備え、
前記第１の密度は、前記第２の密度よりも小さく、
前記第２のセットの信号は、前記信号バーストを備え、
前記第１の周期性は前記第２の周期性よりも、信号の存在のないより短い最大持続時間を提供する、
非一時的コンピュータ読取可能な媒体。
【請求項３０】
少なくとも１つのプロセッサと、
前記少なくとも１つのプロセッサに結合されたメモリと、を備え、
前記少なくとも１つのプロセッサは、
経時的に可変の信号密度を有する信号を送信または受信することに使用するためのリソースを定義する信号パターンを取得し、前記信号は、信号バーストを定義する複数の信号を含む、
前記信号バーストの期間に対応する不連続受信（ＤＲＸ）期間をアラインすることを含む、前記信号パターンに基づいて前記リソースを構成し、
経時的に前記可変の密度を達成するために前記信号パターンにしたがって、前記ＤＲＸ期間とアラインされた前記信号バーストを含む、前記信号を送信または受信するように構成され、
前記信号を送信または受信するように構成された前記少なくとも１つのプロセッサは、前記ＤＲＸ期間とアラインされた不連続送信（ＤＴＸ）期間において前記信号を送信する、または前記ＤＲＸ期間において前記信号を受信するように構成された前記少なくとも１つのプロセッサをさらに備え、
前記信号は、第１の密度および第１の周期性を有する第１のセットの信号、および第２の密度および第２の周期性を有する第２のセットの信号を備え、
前記第１の密度は、前記第２の密度よりも小さく、
前記第２のセットの信号は、前記信号バーストを備え、
前記第１の周期性は前記第２の周期性よりも、信号の存在のないより短い最大持続時間を提供する、
エネルギー効率の良いワイヤレス通信システムのための装置。
【請求項３１】
前記第２の周期性の第２の期間は、前記第１の周期性の第１の期間よりも小さい、請求項３０に記載の装置。
【請求項３２】
前記第１の周期性または前記第２の周期性のうちの少なくとも１つは不規則である、請求項３０に記載の装置。
【請求項３３】
前記信号を送信または受信するように構成された前記少なくとも１つのプロセッサは、前記ＵＥによる接続されたモード緊急検出をサポートするための前記第１の周期性にしたがって第１の同期信号を備える前記第１のセットの信号を送信し、前記ＵＥによる第２の同期信号の発見をサポートするために前記第２の周期性にしたがって第２の同期信号を備える前記第２のセットの信号を送信するように構成された前記少なくとも１つのプロセッサをさらに備える、請求項３０に記載の装置。
【請求項３４】
前記第１の周期性は、一定の周期性を備え、前記第２の周期性は、不規則な周期性を備える、または、前記第１のセットの信号および前記第２のセットの信号は、同一のセットの信号または異なるセットの信号のいずれかを備える、請求項３０に記載の装置。
【請求項３５】
前記信号は、基準信号またはブロードキャスト信号をさらに備える、請求項３０に記載の装置。
【請求項３６】
前記少なくとも１つのプロセッサは、
前記信号バーストに対応するＵＥ ＤＲＸ期間となるように前記ＤＲＸ期間を決定し、
前記信号バーストに対応する前記ＵＥ ＤＲＸ期間にしたがってＵＥ ＤＲＸモードの構成を行わせるために前記ＵＥに構成メッセージを送信する
ようにさらに構成される、請求項３０に記載の装置。
【請求項３７】
前記信号パターンは、前記信号バーストを含む受信パターンをさらに備え、
前記少なくとも１つのプロセッサは、
前記信号バーストに対応する前記ＵＥのＵＥ ＤＴＸ期間となるように前記ＤＴＸ期間を決定し、
前記ＵＥ ＤＴＸ期間にしたがってＵＥ ＤＴＸモードの構成を行わせるために前記ＵＥに構成メッセージを送信する
ようにさらに構成される、請求項３０に記載の装置。
【請求項３８】
前記少なくとも１つのプロセッサは、
前記ＵＥのための第１のランダムアクセスチャネル（ＲＡＣＨ）構成および第２のＲＡＣＨ構成を取得し、ここにおいて、前記第１のＲＡＣＨ構成は前記第１の信号密度を有する前記受信パターンに対応し、前記第２のＲＡＣＨ構成は前記第２の信号密度を有する前記受信パターンに対応する、
前記第１のＲＡＣＨ構成および前記第２のＲＡＣＨ構成を前記ＵＥに送信する
ようにさらに構成される、請求項３７に記載の装置。
【発明の詳細な説明】
【関連出願】
【０００１】
３５Ｕ．Ｓ．Ｃ．§１１９の下の優先権主張  
[0001]本特許出願は、２０１２年７月３日に出願され、この譲受人に譲渡され、引用によりここに明確に組み込まれる、「エネルギー効率の良い通信システム設計の装置および方法」（APPARATUS AND METHODS OF ENERGY EFFICIENT COMMUNICATION SYSTEM DESIGN）と題する、米国仮出願番号第６１／６６７，６１２号の優先権を主張する。
【技術分野】
【０００２】
[0002]本開示の態様は一般的に、ワイヤレス通信システムに関し、より詳細には、ネットワークデバイスおよび／またはユーザ機器における、エネルギー効率の良いシグナリングをサポートすることに関する。
【背景技術】
【０００３】
[0003]ワイヤレス通信ネットワークは、音声、映像、パケットデータ、メッセージング、ブロードキャスト等といった、様々な通信サービスを提供するために広く展開されている。これらのワイヤレスネットワークは、利用可能なネットワークリソースを共有することにより、複数のユーザをサポートすることができる多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信ネットワークは、多数のユーザ機器（ＵＥ）に対する通信をサポートすることができる、ノードＢまたはｅノードＢ（ｅＮＢ）とも呼ばれる、多数の基地局を含み得る。ＵＥは、ダウンリンクおよびアップリンクを介して、基地局と通信し得る。ダウンリンク（またはフォワードリンク）は、基地局からＵＥへの通信リンクを指し、アップリンク（またはリバースリンク）は、ＵＥから基地局への通信リンクを指す。例において、基地局は、多数のダウンリンクおよび／またはアップリンクリソースをＵＥに割り当て得る。さらに、基地局は、ＵＥが、通信スループットを改善するために、複数の物理的なまたは仮想アンテナ、または他の無線リソースを使用して、ダウンリンクまたはアップリンクを介して基地局と通信するための複数のキャリアを確立することを可能にし得る。
【０００５】
[0005]ワイヤレス通信の増え続ける需要により、基地局およびＵＥの両方の限られたリソースを効率的に利用することが関心事になっている。
【０００６】
[0006]この関心事の１つの手法が、不必要な同期信号を除去することによって向上したスペクトル効果を提供し、向上したエネルギー効率をさらに提供し得る、拡張キャリアとも称される、ニューキャリアタイプの定義を通じて、３ＧＰＰロングタームエボリューション（ＬＴＥ）リリース１１（Ｒｅｌ−１１）において述べられている。
【０００７】
[0007]さらに、現在の合意または動作想定は、増加された周期性を用いて特定の同期信号を送信する基地局を含む。同期信号の分離における提案された増加は、十分な省エネルギーを提供しないことがあるが、しかしながら、さらなる信号の分離は、通信における遅延の可能性、およびユーザ輻輳の可能性をもたらし得る。
【０００８】
[0008]したがって、よりエネルギー効率の良いシグナリングのための改善されたメカニズムまたは技法が、望まれる。
【発明の概要】
【０００９】
[0009]１つまたは複数の態様の基本的な理解を提供するために、そのような態様の簡潔化された概要を以下に提示する。この概要は、意図された全ての態様の広範な概観ではなく、全ての態様の重要なまたは決定的な要素を特定することも、任意のまたは全ての態様の範囲を詳細に説明することも意図していない。その唯一の目的は、１つまたは複数の態様のいくつかの概念を、後に提示されるより詳細な説明への前置きとして、簡潔なかたちで提示することである。
【００１０】
[0010]１つの態様において、経時的に可変の信号密度を有する信号を送信または受信することに使用するためのリソースを定義する信号パターンを取得することと、信号は、信号バーストを定義する複数の信号を含む、不連続受信（ＤＲＸ）期間を信号バーストとアラインすることを含む、信号パターンに基づいてリソースを構成することと、経時的に可変の密度信号送信または受信を達成するために信号パターンにしたがって、ＤＲＸ期間とアラインされた信号バーストを含む、信号を送信または受信することと、を含む、エネルギー効率の良いワイヤレス通信の方法が提供される。
【００１１】
[0011]１つの態様において、少なくとも１つのコンピュータに、経時的に可変の信号密度を用いて信号を送信または受信することに使用するためのリソースを定義する信号パターンを取得させるためのコードと、信号は、不連続受信（ＤＲＸ）期間とアラインされた信号バーストを定義する複数の信号を含む、少なくとも１つのコンピュータに、信号パターンに基づいてリソースを構成させるためのコードと、少なくとも１つのコンピュータに、経時的に可変の信号密度を達成するために信号パターンにしたがって、ＤＲＸ期間とアラインされた信号バーストを含む、信号を送信または受信させるためのコードと、を含むコンピュータ読取可能な媒体を含む、エネルギー効率の良いワイヤレス通信のためのコンピュータプログラム製品が提供される。
【００１２】
[0012]１つの態様において、経時的に可変の信号密度を用いて信号を送信または受信することに使用するためのリソースを定義する信号パターンを取得するための手段と、信号は、不連続受信（ＤＲＸ）期間とアラインされた信号バーストを定義する複数の信号を含む、信号パターンに基づいてリソースを構成する手段と、経時的に可変の信号密度を達成するために信号パターンにしたがって、ＤＲＸ期間とアラインされた信号バーストを含む、信号を送信または受信する手段と、を含む、エネルギー効率の良いワイヤレス通信のための装置が提供される。
【００１３】
[0013]１つの態様において、少なくとも１つのプロセッサと、少なくとも１つのプロセッサに結合されたメモリと、を含み、少なくとも１つのプロセッサは、経時的に可変の信号密度を用いて信号を送信または受信することに使用するためのリソースを定義する信号パターンを取得し、信号は、不連続受信（ＤＲＸ）期間とアラインされた信号バーストを定義する複数の信号を含む、信号パターンに基づいてリソースを構成し、経時的に可変の密度を達成するために信号パターンにしたがって、ＤＲＸ期間とアラインされた信号バーストを含む、信号を送信または受信するように構成される、エネルギー効率の良いワイヤレス通信システムのための装置が提供される。
【００１４】
[0014]１つの態様において、第１の密度および第１の周期性を有する第１のセットの信号、および第１の密度とは異なる第２の密度および第１の周期性とは異なる第２の周期性を有する第２のセットの信号を定義する信号パターンを取得することと、信号パターンに基づいて複数の通信デバイス間で基準信号を通信することと、を含む、複数の通信デバイス間のエネルギー効率の良いワイヤレス通信の方法が提供される。
【００１５】
[0015]１つの態様において、第１の密度および第１の周期性を有する第１のセットの信号、および第１の密度とは異なる第２の密度および第１の周期性とは異なる第２の周期性を有する第２のセットの信号を定義する信号パターンを取得するためのコードと、信号パターンに基づいて複数の通信デバイス間で基準信号を通信するためのコードと、を含む、コンピュータ読取可能な媒体を含む、エネルギー効率の良いワイヤレス通信のためのコンピュータプログラム製品が提供される。
【００１６】
[0016]１つの態様において、第１の密度および第１の周期性を有する第１のセットの信号、および第１の密度とは異なる第２の密度および第１の周期性とは異なる第２の周期性を有する第２のセットの信号を定義する信号パターンを取得するための手段と、信号パターンに基づいて複数の通信デバイス間で基準信号を通信するための手段と、を含む、エネルギー効率の良いワイヤレス通信のための装置が提供される。
【００１７】
[0017]１つの態様において、少なくとも１つのプロセッサと、少なくとも１つのプロセッサに結合されたメモリと、を含み、少なくとも１つのプロセッサは、第１の密度および第１の周期性を有する第１のセットの信号、および第１の密度とは異なる第２の密度および第１の周期性とは異なる第２の周期性を有する第２のセットの信号を定義する信号パターンを取得し、信号パターンに基づいて複数の通信デバイス間で基準信号を通信するように構成される、エネルギー効率の良いワイヤレス通信のための装置が提供される。
【００１８】
[0018]これらのおよび他の態様は、以下に続く詳細な説明の再考察により、より完全に理解されるだろう。
【図面の簡単な説明】
【００１９】
[0019]これら開示される態様は、開示される態様を限定するためでなく、例示するために提供される添付図面と併せて以下に説明され、ここで、同様の表記は同様の要素を示す。
【図１】図１は、テレコミュニケーションシステムの例を概念的に示すブロック図である。
【図２】図２は、テレコミュニケーションシステムにおけるダウンリンクフレーム構造の例を概念的に示すブロック図である。
【図３】図３は、本開示の１つの態様にしたがって構成される基地局／ｅＮＢおよびＵＥの設計を概念的に示すブロック図である。
【図４Ａ】図４Ａは、連続的なキャリアアグリゲーションタイプを開示する図である。
【図４Ｂ】図４Ｂは、非連続的なキャリアアグリゲーションタイプを開示する図である。
【図５】図５は、ＭＡＣレイヤデータアグリゲーションを開示する図である。
【図６】図６は、複数のキャリア構成において無線リンクを制御するための方法論を示すフローチャートである。
【図７】図７は、複数のエンハンスト制御チャネル設計のための例示的なリソース割り当てを示す図である。
【図８】図８は、シグナリングにおける改善されたエネルギー効率のために構成された基地局およびユーザ機器を含むワイヤレス通信システムの概念図である。
【図９】図９は、図８の基地局および／またはユーザ機器によって使用するための信号パターンの態様を示す図である。
【図１０】図１０は、図８の基地局および／またはユーザ機器によって使用するための信号パターンの別の態様を示す図である。
【図１１】図１１は、エネルギー効率の良いワイヤレス通信の方法の態様のフローチャートである。
【図１２】図１２は、例えば、図８の基地局および／またはユーザ機器によって具現化、または利用され得る、ワイヤレス通信装置の一部のブロック図表現である。
【図１３】図１３は、エネルギー効率の良いワイヤレス通信の別の方法の態様のフローチャートである。
【図１４】図１４は、例えば、図８の基地局および／またはユーザ機器によって具現化、または利用され得る、別のワイヤレス通信装置の一部のブロック図表現である。
【図１５】図１５は、例えば、図８の基地局および／またはユーザ機器によって具現化、または利用され得る、さらに別のワイヤレス通信装置の一部のブロック図表現である。
【詳細な説明】
【００２０】
[0036]添付の図面に関連して以下に述べられる詳細な説明は、様々な構成の説明を意図したものであり、本明細書において説明される概念が実現され得る、唯一の構成を表すことを意図したものではない。詳細な説明は、様々な概念の完全な理解を提供する目的で、具体的な詳細を含む。しかしながら、これらの概念が、これらの特定の詳細なしで実現され得ることは、当業者にとって明らかであろう。いくつかの例では、そのような概念をあいまいにすることを避けるために、周知の構造およびコンポーネントが、ブロック図の形態で示される。
【００２１】
[0037]ここに説明される技術は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークのために使用されることができる。「ネットワーク」および「システム」という用語は、しばしば同義で使用される。ＣＤＭＡネットワークは、ユニバーサル地上無線アクセス（ＵＴＲＡ）、ｃｄｍａ２０００等のような無線技術を実現し得る。ＵＴＲＡは、広帯域ＣＤＭＡ（Ｗ−ＣＤＭＡ）およびＣＤＭＡのその他の変形を含む。ｃｄｍａ２０００は、ＩＳ−２０００、ＩＳ−９５およびＩＳ−８５６スタンダードをカバーする。ＴＤＭＡネットワークは、移動体通信のための全世界システム（ＧＳＭ（登録商標））のような無線技術を実現することができる。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュ−ＯＦＤＭＡ等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の機関による文書中に記述されている。ｃｄｍａ２０００およびＵＭＢは、「第３世代パートナーシッププロジェクト２」（３ＧＰＰ２）という名称の機関による文書中に記述されている。本明細書において説明される技法は、他のワイヤレスネットワークおよび無線技術と同様に、上述されたワイヤレスネットワークおよび無線技術のために使用されることができる。明確さのために、これら技法のある特定の態様は、ＬＴＥに関して以下に説明され、また、以下の説明の多くで、ＬＴＥ用語が使用されている。
【００２２】
[0038]図１は、ワイヤレス通信ネットワーク１００を示し、これはＬＴＥネットワークであり得る。ワイヤレスネットワーク１００は、多数の発展型ノードＢ（ｅＮＢ）１１０および他のネットワークエンティティを含み得る。ｅＮＢは、ユーザ機器（ＵＥ）と通信する局であり得、基地局、ノードＢ、アクセスポイント等とも称され得る。各ｅＮＢ １１０は、特定の地理的エリアについての通信カバレッジを提供し得る。３ＧＰＰでは、「セル」という用語は、この用語が使用される文脈に応じて、ｅＮＢのカバレッジエリアおよび／またはこのカバレッジエリアにサービス提供するｅＮＢサブシステムのカバレッジエリアを指し得る。
【００２３】
[0039]ｅＮＢは、マクロセル、ピコセル、フェムトセル、および／または他のタイプのセルのための通信カバレッジを提供することができる。マクロセルは、比較的広い地理的エリア（例えば、半径数キロメートル）をカバーすることができ、サービスに加入しているＵＥによる無制限アクセスを可能にすることができる。ピコセルは、比較的狭い地理的エリアをカバーすることができ、サービスに加入しているＵＥによる無制限アクセスを可能にすることができる。フェムトセルは、比較的狭い地理的エリア（例えば、住居）をカバーすることができ、このフェムトセルとの関連を有するＵＥ（例えば、限定加入者グループ（ＣＳＧ：Closed Subscriber Group）内のＵＥ、住居内のユーザ向けのＵＥ等）による制限されたアクセスを可能にすることができる。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢあるいはホームｅＮＢと称され得る。図１に示される例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ １１０ｘは、ピコセル１０２ｘのためのピコｅＮＢであり得る。ｅＮＢ １１０ｙおよび１１０ｚは、それぞれフェムトセル１０２ｙおよび１０２ｚのためのフェムトｅＮＢであり得る。ｅＮＢは、１つまたは複数の（例えば、３つの）セルをサポートし得る。
【００２４】
[0040]ワイヤレスネットワーク１００はまた、中継局を含み得る。中継局は、アップストリーム局（例えば、ｅＮＢ、ＵＥ、等）から、データおよび／または他の情報の送信を受信し、ダウンストリーム局（例えば、ＵＥまたはｅＮＢ）に、データおよび／または他の情報の送信を送る局である。中継局はまた、他のＵＥのための送信を中継するＵＥであり得る。図１に示される例において、中継局１１０ｒは、ｅＮＢ１１０ａとＵＥ１２０ｒとの間の通信を容易にするために、ｅＮＢ１１０ａおよびＵＥ１２０ｒと通信することができる。中継局は、中継ｅＮＢ、中継器等とも称され得る。
【００２５】
[0041]ワイヤレスネットワーク１００は、異なるタイプのｅＮＢ、例えば、マクロｅＮＢ、ピコｅＮＢ、フェムトｅＮＢ、中継器、等を含む異種ネットワークであることができる。これらの異なるタイプのｅＮＢは、ワイヤレスネットワーク１００において、異なる送信電力レベル、異なるカバレッジ領域、および干渉に対する異なる影響を有し得る。例えば、マクロｅＮＢは、高い送信電力レベル（例えば、２０ワット）を有し得るのに対し、ピコｅＮＢ、フェムトｅＮＢおよび中継器は、より低い送信電力レベル（例えば、１ワット）を有し得る。
【００２６】
[0042]ワイヤレスネットワーク１００は、同期または非同期動作をサポートし得る。同期動作については、これらｅＮＢは、同様のフレームタイミングを有し得、また、異なるｅＮＢからの送信は、ほぼ時間的にアラインされ得る。非同期動作については、これらｅＮＢは、異なるフレームタイミングを有し得、また、異なるｅＮＢからの送信は、時間的にアラインされないことがある。ここに説明される技術は、同期動作と非同期動作の両方のために使用され得る。
【００２７】
[0043]ネットワークコントローラ１３０は、ｅＮＢのセットに結合され、これらのｅＮＢ１１０のための調整および制御を提供し得る。ネットワークコントローラ１３０は、バックホールを介してｅＮＢ１１０と通信することができる。ｅＮＢ１１０は、また、例えば、ワイヤレスまたはワイヤラインバックホールを経由して直接的または間接的に、互いに通信することができる。
【００２８】
[0044]ＵＥ１２０は、ワイヤレスネットワーク１００全体にわたって分布されることができ、各ＵＥは、固定式または移動式であることができる。ＵＥはまた、デバイス、端末、移動局、加入者ユニット、局、スマートフォン等とも称され得る。ＵＥは、セルラ電話、携帯情報端末（ＰＤＡ）、ワイヤレスモデム（または他のテザリングされたデバイス）、ワイヤレス通信デバイス、ハンドヘルドデバイス、ラップトップコンピュータ、タブレットまたはノートブックコンピュータ、コードレス電話、ワイヤレスローカルループ（ＷＬＬ）局等であり得る。ＵＥは、マクロｅＮＢ、ピコｅＮＢ、フェムトｅＮＢ、中継器等と通信可能であり得る。例えば、ＵＥ１２０ｘは、ピコセル１０２ｘのピコｅＮＢであり得るｅＮＢ１１０ｘと通信し得、ＵＥ１２０ｙは、それぞれ、フェムトセル１０２ｙおよび１０２ｚのフェムトｅＮＢであり得るｅＮＢ１１０ｙまたはｅＮＢ１１０ｚと通信し得る。図１において、両側矢印の実線は、ＵＥとサービス提供ｅＮＢとの間の所望の伝送を示し、サービス提供ｅＮＢは、ダウンリンクおよび／またはアップリンクでＵＥにサービス提供するように指定されたｅＮＢである。両側矢印の破線は、ＵＥとｅＮＢとの間の潜在的に干渉する伝送を示す。
【００２９】
[0045]ＬＴＥは、ダウンリンク上では直交周波数分割多重化（ＯＦＤＭ）を、そしてアップリンク上ではシングルキャリア周波数分割多重化（ＳＣ−ＦＤＭ）を利用する。ＯＦＤＭおよびＳＣ−ＦＤＭは、システム帯域幅を複数（Ｋ個）の直交サブキャリアに分割し、これらはまた、一般に、トーン、ビン等と称される。各サブキャリアは、データを用いて変調され得る。一般的に、変調シンボルは、周波数領域においてＯＦＤＭまたは同様の多重化スキームで、または時間領域においてＳＣ−ＦＤＭまたは同様の多重化スキームで送られる。隣接するサブキャリア間の間隔は、固定であることができ、サブキャリアの合計数（Ｋ個）は、システム帯域幅に依存し得る。例えば、Ｋは、１．４、３、５、１０または２０メガヘルツ（ＭＨｚ）のシステム帯域幅について、それぞれ１２８、２５６、５１２、１０２４または２０４８に等しくなり得る。システム帯域幅はまた、サブバンドに分割され得る。例えば、サブバンドは、１．０８ＭＨｚをカバーし得、１．４、３、５、１０または２０ＭＨｚのシステム帯域幅について、それぞれ１、２、４、８または１６個のサブバンドが存在し得る。
【００３０】
[0046]図２は、ＬＴＥにおいて使用されるダウンリンクフレーム構造２００を示す。ダウンリンクのための送信タイムラインは、無線フレーム２０２といった無線フレームのユニットに分割され得る。各無線フレームは、所定の持続時間（例えば、１０ミリ秒（ｍｓ））を有することができ、サブフレーム０ ２０４のような、０〜９のインデックスを有する１０個のサブフレームに分割され得る。各サブフレームは、スロット０ ２０６およびスロット１ ２０８のような、２つのスロットを含み得る。したがって、各無線フレームは、０〜１９のインデックスを有する２０個のスロットを含み得る。各スロットは、Ｌ個のシンボル期間、例えば、（図２に示すような）ノーマルなサイクリックプレフィックスのための７個のシンボル期間、または拡張されたサイクリックプレフィックスのための６個のシンボル期間を含み得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおけるＮ個のサブキャリア（例えば、１２個のサブキャリア）をカバーし得る。
【００３１】
[0047]ＬＴＥにおいて、ｅＮＢは、ｅＮＢにおける各セルのために、プライマリ同期信号（ＰＳＳ）およびセカンダリ同期信号（ＳＳＳ）を送り得る。プライマリおよびセカンダリ同期信号はそれぞれ、図２に示すように、ノーマルなサイクリックプレフィックスによる各無線フレームのサブフレーム０および５の各々における、それぞれ、シンボル期間６および５において送信され得る。同期信号は、セルの検出と捕捉のためにＵＥによって使用され得る。ｅＮＢは、サブフレーム０のスロット１におけるシンボル期間０から３において物理ブロードキャストチャネル（ＰＢＣＨ）を送り得る。ＰＢＣＨは、ある特定のシステム情報を搬送し得る。
【００３２】
[0048]ｅＮＢは、図２における第１のシンボル期間全体において示されているが、各サブフレームの第１のシンボル期間の一部において物理制御フォーマットインジケータチャネル（ＰＣＦＩＣＨ）を送り得る。ＰＣＦＩＣＨは、制御チャネルのために使用されるシンボル期間の数（Ｍ）を伝達することができ、ここでＭは、１、２、または３に等しく、サブフレーム毎に変わり得る。Ｍはまた、例えば、１０個未満のリソースブロックを有する狭いシステム帯域幅のために、４に等しいこともできる。図２に示す例では、Ｍ＝３である。ｅＮＢは、各サブフレームの最初のＭ個のシンボル期間（図２においてＭ＝３）において、物理ハイブリッド自動再送／要求（ＨＡＲＱ）インジケータチャネル（ＰＨＩＣＨ）および物理ダウンリンク制御チャネル（ＰＤＣＣＨ）を送り得る。ＰＨＩＣＨは、ハイブリッド自動再送（ＨＡＲＱ）をサポートするための情報を搬送し得る。ＰＤＣＣＨは、ＵＥのためのリソース割り当てについての情報と、ダウンリンクチャネルのための制御情報とを搬送し得る。図２における第１のシンボル期間には示されていないが、ＰＤＣＣＨおよびＰＨＩＣＨも第１のシンボル期間に含まれることが理解されるべきである。同様に、ＰＨＩＣＨおよびＰＤＣＣＨはまた、図２に示されていないが、第２および第３のシンボル期間の両方にある。ｅＮＢは、各サブフレームの残りのシンボル期間において物理ダウンリンク共有チャネル（ＰＤＳＣＨ）を送り得る。ＰＤＳＣＨは、ダウンリンクでのデータ送信のためにスケジュールされたＵＥのためのデータを搬送し得る。様々な信号およびチャネルが、ＬＴＥ構成に対応し得る。
【００３３】
[0049]ｅＮＢは、ｅＮＢによって使用されるシステム帯域幅の中心（例えば、中心１．０８メガヘルツ（ＭＨｚ）））においてＰＳＳ、ＳＳＳ、およびＰＢＣＨを送り得る。ｅＮＢは、ＰＣＦＩＣＨおよびＰＨＩＣＨが送られる各シンボル期間において、システム帯域幅全体にわたってこれらのチャネルを送り得る。ｅＮＢは、システム帯域幅の特定の部分においてＵＥのグループにＰＤＣＣＨを送り得る。ｅＮＢは、システム帯域幅の特定の部分において特定のＵＥにＰＤＳＣＨを送り得る。ｅＮＢは、ＰＳＳ、ＳＳＳ、ＰＢＣＨ、ＰＣＦＩＣＨ、およびＰＨＩＣＨを、ブロードキャスト方式で全てのＵＥに送り、ＰＤＣＣＨをユニキャスト方式で特定のＵＥに送り、また、ＰＤＳＣＨをユニキャスト方式で特定のＵＥに送り得る。
【００３４】
[0050]多数のリソースエレメントが各シンボル期間において利用可能であり得る。各リソースエレメントは、１つのシンボル期間において１つのサブキャリアをカバーすることができ、１つの変調シンボルを送るために使用されることができ、変調シンボルは、実数または複素数であることができる。各シンボル期間における基準信号のために使用されないリソースエレメントは、リソースエレメントグループ（ＲＥＧ）内に配置され得る。各ＲＥＧは、１つのシンボル期間における４つのリソースエレメントを含み得る。ＰＣＦＩＣＨは、４つのＲＥＧを占有し得、シンボル期間０において周波数にわたってほぼ均等に間隙を空けられ得る。ＰＨＩＣＨは、３つのＲＥＧを占有し得、１つまたは複数の構成可能なシンボル期間において、周波数にわたって拡散され得る。例えば、ＰＨＩＣＨのための３つのＲＥＧはすべて、シンボル期間０に属するまたはシンボル期間０、１および２において拡散され得る。ＰＤＣＣＨは９、１８、３６、または７２個のＲＥＧを占有し得、これらは、最初のＭ個のシンボル期間において、利用可能なＲＥＧから選択され得る。ＲＥＧの特定の組み合わせのみが、ＰＤＣＣＨに対して許可され得る。
【００３５】
[0051]ＵＥは、ＰＨＩＣＨおよびＰＣＦＩＣＨのために使用される特定のＲＥＧを知っていることができる。ＵＥは、ＰＤＣＣＨのために、ＲＥＧの異なる組み合わせをサーチすることができる。サーチする組み合わせの数は典型的に、ＰＤＣＣＨのための許容される組み合わせの数より少ない。ｅＮＢは、ＵＥがサーチするであろう任意の組み合わせにおいてＵＥにＰＤＣＣＨを送り得る。
【００３６】
[0052]ＵＥは、複数のｅＮＢのカバレッジ内にあり得る。これらのｅＮＢのうちの１つが、ＵＥにサービス提供するために選択され得る。サービス提供ｅＮＢは、受信電力、パスロス、信号対雑音比（ＳＮＲ）、等といった様々な判定基準に基づいて選択され得る。さらに、ＵＥは、アップリンク上でｅＮＢと通信するために、同様のサブフレームおよびスロット構造を利用することができることが理解されるべきである。例えば、ＵＥは、サブフレームの１つまたは複数のスロットにおける１つまたは複数のシンボル期間にわたって、物理アップリンク制御チャネル（ＰＵＣＣＨ）、物理アップリンク共有チャネル（ＰＵＳＣＨ）、サウンディング基準信号（ＳＲＳ）、または他の通信を送信することができる。
【００３７】
[0053]図３は、基地局／ｅＮＢ１１０およびＵＥ１２０の設計のブロック図を示し、これらは、図１における基地局／ｅＮＢのうちの１つ、および、ＵＥのうちの１つであり得る。制限された関連付けシナリオでは、基地局１１０は、図１におけるマクロｅＮＢ１１０ｃであり、ＵＥ１２０はＵＥ１２０ｙであり得る。基地局１１０はまた、何らかの他のタイプの基地局であることができる。基地局１１０はアンテナ３３４ａ〜３３４ｔを備え、ＵＥ１２０はアンテナ３５２ａ〜３５２ｒを備え得る。
【００３８】
[0054]基地局１１０において、送信プロセッサ３２０は、データソース３１２からデータを、およびコントローラ／プロセッサ３４０から制御情報を、受け取ることができる。制御情報は、ＰＢＣＨ、ＰＣＦＩＣＨ、ＰＨＩＣＨ、ＰＤＣＣＨ等のためのものであり得る。データは、ＰＤＳＣＨ等のためのものであり得る。プロセッサ３２０は、データおよび制御情報を処理（例えば、符号化およびシンボルマッピング）して、それぞれ、データシンボルおよび制御シンボルを取得することができる。プロセッサ３２０はまた、例えば、ＰＳＳ、ＳＳＳのための基準シンボル、およびセル特有の基準信号を生成し得る。送信（ＴＸ）多入力多出力（ＭＩＭＯ）プロセッサ３３０は、適用可能な場合、データシンボル、制御シンボル、および／またはレファレンスシンボルに空間処理（例えば、プリコーディング）を実行することができ、出力シンボルストリームを変調器（ＭＯＤ）３３２ａ〜３３２ｔに供給し得る。各変調器３３２は、（例えば、ＯＦＤＭ等のために）それぞれの出力シンボルストリームを処理して、出力サンプルストリームを取得し得る。各変調器３３２はさらに、出力サンプルストリームを処理（例えば、アナログ変換、増幅、フィルタリング、およびアップコンバート）して、ダウンリンク信号を取得し得る。変調器３３２ａ〜３３２ｔからのダウンリンク信号は、それぞれ、アンテナ３３４ａ〜３３４ｔを介して送信され得る。
【００３９】
[0055]ＵＥ１２０において、アンテナ３５２ａ〜３５２ｒは、基地局１１０からダウンリンク信号を受信し、受信された信号を、それぞれ、復調器（ＤＥＭＯＤ）３５４ａ〜３５４ｒに供給し得る。各復調器３５４は、それぞれの受信された信号を調整（例えば、フィルタリング、増幅、ダウンコンバート、およびデジタル化）して、入力サンプルを取得し得る。各復調器３５４はさらに、（例えば、ＯＦＤＭ等のために）入力サンプルを処理して、受信シンボルを取得し得る。ＭＩＭＯ検出器３５６は、全ての復調器３５４ａ〜３５４ｒからの受信シンボルを取得し、適用可能な場合、受信シンボルに対してＭＩＭＯ検出を実行し、検出されたシンボルを供給し得る。受信プロセッサ３５８は、検出されたシンボルを処理（例えば、復調、デインタリーブ、および復号）し、データシンク３６０にＵＥ１２０のための復号されたデータを供給し、コントローラ／プロセッサ３８０に復号された制御情報を供給し得る。
【００４０】
[0056]アップリンクでは、ＵＥ１２０において、送信プロセッサ３６４は、データソース３６２から（例えば、ＰＵＳＣＨのための）データを、およびコントローラ／プロセッサ３８０から（例えば、ＰＵＣＣＨのための）制御情報を、受け取って処理することができる。プロセッサ３６４はまた、レファレンスシグナルのためのレファレンスシンボルを生成し得る。送信プロセッサ３６４からのシンボルは、適用可能な場合、ＴＸ ＭＩＭＯプロセッサ３６６によってプリコーディングされ、（例えば、ＳＣ−ＦＤＭ等のために）変調器３５５ａ〜３５５ｒによってさらに処理され、基地局１１０に送信され得る。基地局１１０において、ＵＥ１２０からのアップリンク信号が、アンテナ３３４によって受信され、復調器３３３ａ〜３３３ｔによって処理され、適用可能な場合にはＭＩＭＯ検出器３３６によって検出され、受信プロセッサ３３８によってさらに処理されて、ＵＥ１２０によって送られた、復号されたデータおよび制御情報が取得され得る。プロセッサ３３８は、データシンク３３９に復号されたデータを供給し、コントローラ／プロセッサ３４０に復号された制御情報を供給し得る。
【００４１】
[0057]コントローラ／プロセッサ３４０および３８０は、それぞれ、基地局１１０およびＵＥ１２０における動作を指示し得る。プロセッサ３４０および／または基地局１１０における他のプロセッサおよびモジュールは、本明細書において説明される技法のための様々な処理の実行を遂行または指示し得る。プロセッサ３８０および／またはＵＥ１２０における他のプロセッサおよびモジュールはまた、図８に示した機能ブロック、および／または本明細書において説明される技法のための他の処理の実行を遂行または指示し得る。さらに、例えば、プロセッサ３８０は、ここに説明される態様を実行するための図１２および１４に示されるモジュールを含み、または少なくとも動作可能に結合され得る。メモリ３４２および３８２は、それぞれ、基地局１１０およびＵＥ１２０のためのデータおよびプログラムコードを記憶し得、それは、図６、１１、および１３における方法、図８、１２、および１４におけるモジュール等を実行するための命令を含み得る。スケジューラ３４４は、ダウンリンクおよび／またはアップリンクでのデータ送信のためにＵＥをスケジューリングし得る。
【００４２】
キャリアアグリゲーション
[0058]ＬＴＥ−アドバンストＵＥは、各方向における送信のための合計１００ＭＨｚ（５個のコンポーネントキャリア）までのキャリアアグリゲーションにおいて割り振られる２０ＭＨｚ帯域幅の中でスペクトルを使用し得る。一般に、ダウンリンクよりも少ないトラフィックがアップリンク上で送信されるので、アップリンクスペクトル割り振りは、ダウンリンク割り振りよりも小さくなり得る。例えば、２０ＭＨｚがアップリンクに割り当てられる場合、ダウンリンクは、１００Ｍｈｚを割り当てられ得る。これらの非対称ＦＤＤ割り当て（asymmetric FDD assignments）は、スペクトルを保護する（conserve）ことができ、ブロードバンド加入者による典型的な非対称帯域幅利用に適しているが、他の割り当ても可能であり得る。
【００４３】
キャリアアグリゲーションタイプ
【００４４】
[0059]ＬＴＥ−アドバンストモバイルシステムについては、２つのタイプのキャリアアグリゲーション（ＣＡ）方法、連続的なＣＡと非連続的なＣＡが提案されており、それらの例が図４Ａおよび図４Ｂに示されている。 非連続的なＣＡは、複数の利用可能なコンポーネントキャリア４１０が周波数帯域に沿って分離している場合に行われる（図４Ｂ）。他方では、連続的なＣＡは、複数の利用可能なコンポーネントキャリア４００が互いに隣接している場合に行われる（図４Ａ）。示されるように、例えば、連続的なＣＡ、キャリア１ ４０２、キャリア２ ４０４、およびキャリア３ ４０６は、周波数において隣接している。非連続的なＣＡでは、キャリア１ ４１２、キャリア２ ４１４、およびキャリア３ ４１６は、周波数において隣接していない。非連続的および連続的なＣＡの両方は、ＬＴＥ−アドバンストＵＥの単一のユニットにサービス提供するために、複数のＬＴＥ／コンポーネントキャリアをアグリゲートするように動作する。
【００４５】
[0060]複数のＲＦ受信ユニットおよび複数のＦＦＴは、キャリアが周波数帯域に沿って分離しているため、ＬＴＥ−アドバンストＵＥにおいて非連続的なＣＡによって展開され得る。非連続的なＣＡは、広周波数範囲にわたって複数の分離されたキャリアを介してデータ送信をサポートするため、伝搬パスロス、ドップラー偏移および他の無線チャネルの特性は、異なる周波数帯域で大きく異なり得る。
【００４６】
[0061]したがって、非連続的なＣＡアプローチ下で広帯域データ送信をサポートするために、方法は、異なるコンポーネントキャリアのための符号化、変調および送信電力を適応的に調節するために使用され得る。例えば、エンハンストノードＢ（ｅＮＢ）がコンポーネントキャリアごとに固定された送信電力を有するＬＴＥ−アドバンストシステムでは、各コンポーネントキャリアのサポート可能な変調および符号化または有効なカバレッジは、異なり得る。  
データアグリゲーションスキーム
【００４７】
[0062]図５は、国際移動体電気通信（ＩＭＴ）アドバンストまたは同様のシステムのために、メディアアクセス制御（ＭＡＣ）レイヤ（図５）において、異なるコンポーネントキャリア５０２、５０４、および５０６から送信ブロック（ＴＢ）をアグリゲートするために、データアグリゲーション５００を実行することを示す。ＭＡＣレイヤのデータアグリゲーションでは、各コンポーネントキャリアは、ＭＡＣレイヤにおいてそれ自体の独立したハイブリッド自動再送要求（ＨＡＲＱ）エンティティ５０８、５１０、および５１２を有し、物理レイヤにおいてそれ自体の送信構成パラメータ（例えば、送信電力、変調および符号化スキーム、および複数のアンテナ構成）を有する。同様に、物理レイヤにおいて、１つの物理レイヤエンティティ５１４、５１６、および５１８は、各コンポーネントキャリアに提供され得る。  
制御シグナリング
【００４８】
[0063]一般に、複数のコンポーネントキャリアのための制御チャネルシグナリングを展開するための３つの異なるアプローチがある。第１のものは、各コンポーネントキャリアがそれ自体のコード化された制御チャネルを与えられているＬＴＥシステムにおいて制御構造のマイナーな変更を包含する。
【００４９】
[0064]第２の方法は、異なるコンポーネントキャリアの制御チャネルを共同でコード化し、専用のコンポーネントキャリアにおいて制御チャネルを展開することを包含する。複数のコンポーネントキャリアのための制御情報は、この専用制御チャネルにシグナリングコンテンツとして統合され得る。結果として、ＬＴＥシステムにおける制御チャネル構造との下位互換性が維持される一方で、（例えば、専用の制御チャネルのために）ＣＡにおけるシグナリングオーバーヘッドが低減される。
【００５０】
[0065]異なるコンポーネントキャリアのための複数の制御チャネルは、共同でコード化され、その後、第３のＣＡ方法によって形成された周波数帯全体にわたって送信される。このアプローチは、ＵＥ側における高電力消費の負担で、制御チャネルにおける低いシグナリングオーバーヘッドおよび高い復号性能を提供する。しかしながら、この方法は、ＬＴＥシステムと互換性がないことがある。  
ハンドオーバ制御
【００５１】
[0066]ＣＡがＩＭＴ−アドバンストＵＥのために使用される場合、複数のセルにわたるハンドオーバプロシージャの間、送信連続性をサポートすることがより望ましい。しかしながら、特定のＣＡ構成およびサービス品質（ＱｏＳ）要件を備えた到来するＵＥのために十分なシステムリソース（例えば、良質な伝送品質を備えたコンポーネントキャリア）を確保することは、次のｅＮＢにとって困難な場合がある。この理由は、２つ（またはそれ以上）の隣接したセル（ｅＮＢ）のチャネル条件が特定のＵＥに対して異なり得るからである。１つのアプローチにおいて、ＵＥは、各隣接したセルにおいて１つのコンポーネントキャリアのみの性能を測定する。これは、ＬＴＥシステムにおけるものと同様の測定遅延、複雑さ、およびエネルギー消費を提供する。対応するセルにおける他のコンポーネントキャリアの性能の推定は、１つのコンポーネントキャリアの測定結果に基づき得る。この推定に基づいて、ハンドオーバ決定および送信構成が決定され得る。
【００５２】
[0067]図６は、１つの例にしたがい、物理チャネルをグループ化することにより、複数のキャリアのワイヤレス通信システムにおける無線リンクを制御するための方法論６００を示す。示されるように、方法は、ブロック６０２において、プライマリキャリアおよび１つまたは複数の関連するセカンダリキャリアを形成するために、少なくとも２つのキャリアから１つのキャリア上に制御機能をアグリゲートすることを含む。次にブロック６０４において、通信リンクは、プライマリキャリアおよび各セカンダリキャリアのために確立される。その後、通信はブロック６０６においてプライマリキャリアに基づいて制御される。  
エンハンストＰＤＣＣＨ（ｅＰＤＣＣＨ）
【００５３】
[0068]ＬＴＥリリース１１（Ｒｅｌ−１１）において、エンハンスト物理ダウンリンク制御チャネル（ｅＰＤＣＣＨ）と称される新しい制御チャネル構造が導入されている。サブフレームにおいて第１のいくつかの制御シンボルを占有するレガシーＰＤＣＣＨとは異なり、ｅＰＤＣＣＨは、物理ダウンリンク共有チャネル（ＰＤＳＣＨ）と同様に、データ領域を占有する。
【００５４】
[0069]図７は、サブフレームであり得る、周波数の一部にわたる時間の例示的な部分における、様々な例示的なｅＰＤＣＣＨ構造７００を示す。例えば、サブフレームにおける初期のリソースの一部は、レガシーデバイスに制御データを通信するためにレガシー制御領域７０２のために確保され得、それはＰＤＣＣＨ、ＰＣＦＩＣＨ、ＰＨＩＣＨ、および／または同様のチャネルを含み得る。ＬＴＥにおいて、レガシー制御領域７０２は、サブフレーム中のいくつかのＯＦＤＭシンボル、ｎ、であることができる。ここで、ｎは、１から３の間であることができる。ｅＰＤＣＣＨがニューキャリアタイプのために定義される場合、レガシー制御領域７０２は存在しないこともあることが理解されるべきである。いずれのケースにおいても、残りのリソースは、サブフレームのデータ領域７０４を備え得る。したがって、レガシーＰＤＣＣＨとは異なり、ニューキャリアタイプのためのｅＰＤＣＣＨは、データ領域７０４のみを占有し得る。
【００５５】
[0070]エンハンスト制御チャネル構造を定義するために、５つの代替例が示されるが、他の代替例も可能であることが理解されるべきである。例えば、エンハンスト制御チャネル構造は、増加した制御チャネル容量をサポートし、周波数領域セル間干渉調整（ＩＣＩＣ）をサポートし、制御チャネルリソースの改善された空間再使用を達成し、ビームフォーミングおよび／またはダイバーシチをサポートし、ニューキャリアタイプ上でおよび単一周波数ネットワークを介したマルチキャスト／ブロードキャスト（ＭＢＳＦＮ）サブフレームにおいて動作し、レガシーデバイスとして同一のキャリア上で共存し得る、等である。
【００５６】
［0071]代替１ ７０６において、エンハンスト制御チャネル構造は、中継器ＰＤＣＣＨ（Ｒ−ＰＤＣＣＨ）と同様であり得るので、ダウンリンク許可は領域７０４の第１の部分にわたって周波数の少なくとも一部において制御チャネルの上に割り当てられ、アップリンク許可が領域７０４の第２の部分にわたって周波数の一部において制御チャネルの上に割り当てられる。代替２ ７０８では、エンハンスト制御チャネル構造は、ダウンリンクおよびアップリンク許可が、第１および第２のスロットの両方にわたる領域７０４における周波数の一部にわたって割り当てられることを可能にする。代替３ ７１０では、エンハンスト制御チャネル構造は、ダウンリンクおよびアップリンク許可が、領域７０４の少なくとも一部においてＴＤＭを使用して周波数の一部にわたって割り当てられることを可能にする。代替４ ７１２では、エンハンスト制御チャネル構造は、ダウンリンクとアップリンク許可が、領域７０４の第１の部分にわたって周波数の少なくとも一部において制御チャネルの上に割り当てられることを可能にし、アップリンク許可が領域７０４の第２の部分にわたって周波数の一部において制御チャネルの上に割り当てられる。代替５ ７１４では、ダウンリンク許可は、領域７０４の少なくとも一部にわたってＴＤＭを使用して割り当てられ得る一方で、アップリンク許可は、領域７０４にわたって周波数の異なる、およびオプションとしてオーバーラップする部分においてＦＤＭを使用して割り当てられ得る。
【００５７】
[0072]これらの代替例の１つ以上を使用すると、エンハンスト制御チャネルが、従来のレガシー制御チャネル構造と比較して、ダウンリンクおよび／またはアップリンク割り当てのための様々な多重化スキームを使用して、リソースの割り当てを可能にし得ることが、理解されるべきである。
【００５８】
[0073]さらに、ｅＰＤＣＣＨについては、１つまたは複数の追加の条件または合意（agreement）が適用され得る。例えば、ｅＰＤＣＣＨのローカライズされた送信および分配された送信の両方がサポートされ得る。このケースにおいて、共通基準信号（ＣＲＳ）がエンハンスト制御チャネルの復調に使用されない場合、少なくともローカライズされた送信のために、および分配された送信のために、エンハンスト制御チャネルの復調は、エンハンスト制御チャネルの送信のために使用される１つまたは複数の物理リソースブロック（単数または複数）（ＰＲＢ）において送信される復調基準信号（ＤＭ−ＲＳ）に基づく。
【００５９】
[0074]さらに、例えば、いくつかのケースにおいて、ｅＰＤＣＣＨメッセージは、例えば、ＵＥのための要件を処理するための緩和（relaxation）を可能にするために、送信時間インターバル（ＴＴＩ）において受信可能なトランスポートチャネル（ＴｒＣＨ）ビットの最大数に対する制約を有する、第１および第２のスロット（例えば、ＦＤＭベースのｅＰＤＣＣＨ）の両方にわたることができる。また、例えば、ＰＲＢペア内のＰＤＳＣＨおよびｅＰＤＣＣＨの多重化は、許可されないこともある。
【００６０】
[0075]さらに、例えば、いくつかのケースにおいて、ランク２の単一ユーザＭＩＭＯ（ＳＵ−ＭＩＭＯ）は、単一のブラインド復号試み（blind decoding attempt）のためにサポートされない。また、同一のスクランブリングシーケンスジェネレータは、ＰＤＳＣＨ ＤＭ−ＲＳに関してｅＰＤＣＣＨ ＤＭ−ＲＳのために使用され得る。
【００６１】
[0076]したがって、エンハンスト制御チャネルのためのリソース割り当てが、エンハンスト代替制御チャネル構造の１つ以上を順応させるために定義され得る。  
ニューキャリアタイプ
【００６２】
[0077]以下の概念が、ニューキャリアタイプ（ＮＣＴ）、または拡張キャリア、シングルキャリア、ＣＡにおける２つ以上のキャリア、多地点協調（ＣｏＭＰ：coordinated multiple point）、および／または、ＬＴＥリリース１１（Ｒｅｌ−１１）ニューキャリアタイプのような、任意の下位互換性のないキャリアに適用され得、サブフレームの様々な部分のリソース内でリソース許可を可能にする。ある態様において、ニューキャリアタイプまたは拡張キャリアは、ＬＴＥリリース８（Ｒｅｌ−８）キャリアに加えてサポートされるキャリアであり得る。いくつかの態様において、ニューキャリアタイプまたは拡張キャリアは、別のキャリアの拡張であり得、そのため、キャリアアグリゲーションセットの一部としてアクセスされなければならないことがある。  
エネルギー効率の良いシステム設計
【００６３】
[0078]本装置および方法は、ワイヤレス通信システムのエネルギー効率の良い設計に関連する。特に、ある態様において、本装置および方法は、ユーザ機器または基地局においてのいずれかにおいて、または両方で、いくつかの不連続受信（ＤＲＸ）期間を特に対象にした、または一致した信号バーストによって構成され得る。他の任意のまたは追加の態様において、本装置および方法は、ＤＲＸ関連のトラフィックの結果として生じた不均等な分配に対処するように構成され得る。さらに、いくつかの他のオプションまたは追加の態様において、本装置および方法は、信号の導入された新しい時間構造を、下位互換性があるものにするように構成され得る。
【００６４】
[0079]図８を参照すると、１つの態様において、ワイヤレス通信システム８００は、エネルギー使用を低減させるために、基地局８０２および／またはユーザ機器（ＵＥ）８０４の送信関連のおよび／または受信関連のリソースを変更することによって、エネルギー効率の良いシグナリングを提供する。システム８００において、基地局８０２は、ＵＥ８０４にワイヤレスネットワークアクセスを提供し得る。基地局８０２は、マクロ基地局またはノードＢまたはｅＮＢ、フェムトノード、ピコノード、モバイル基地局、中継器、遠隔無線ヘッド（ＲＲＨ）、モバイルデバイス（例えば、ＵＥ８０４によるピアツーピアまたはａｄ−ｈｏｃモードでの通信）、それらの一部、等を含み得るが、これらに限定されない。ＵＥ８０４は、アクセス端末、モバイルデバイス、モデム（または他のテザリングされたデバイス）、それらの一部、等を含み得るが、これらに限定されない。
【００６５】
[0080]ある態様において、基地局８０２は、例えば送信された信号８１０または受信された信号８１２といった信号を送信または受信することに使用するためのリソースを定義する信号パターン８１４を取得するために構成される、信号パターン取得器コンポーネント８０６を含む。例えば、信号パターン取得器コンポーネント８０６は、ローカルメモリからまたは別のデバイスとの通信によって信号パターン８１４を取得し得る。さらに、例えば、信号パターン取得器コンポーネント８０６は、信号パターン取得器コンポーネント８０６による決定に基づいて信号パターン８１４を取得するように構成され得る。例えば、１つのケースにおいて、信号パターン取得器コンポーネント８０６は、ワイヤレス通信システム８００と関連するオペレータまたは他のマネジメントまたは制御エンティティによって定義されるように信号パターン８１４を受信することによって、所与の選択アルゴリズムに基づいて、利用可能な信号パターンのセットから信号パターン８１４を選択することによって、信号パターン８１４を決定し得る。あるいは、またはさらに、信号パターン取得器コンポーネント８０６は、基地局８０２に関連する他のセルおよび／または他のキャリアによって使用される他の信号パターンのように、所与のパターン計算アルゴリズムにしたがって、および／またはワイヤレス通信システム８００の受信された特徴と共同して信号パターン８１４を計算することによって、信号パターン８１４を決定し得る。
【００６６】
[0081]さらに、信号パターン８１４は、経時的に可変の密度信号送信または受信を定義するように構成されることができ、信号は、不連続受信（ＤＲＸ）期間とアラインされる信号バースト８１５を定義する複数の信号を含む。これらの態様において、「密度（density）」は、単位時間にわたってチャネル帯域幅全体にわたって信号により占有されるリソースの数（例えば、リソースエレメント）として定義され得る。さらに、例えば、そのようなリソースの数が変化する場合、密度は、所与の評価期間にわたって平均化され得る。このため、例えば、信号バースト８１５は、密度が信号バースト８１５の持続時間に対応する所与の基準期間内で評価される場合、信号の別のセットと比較してより高密度であり得る。さらに、ＤＲＸ期間内の信号バースト８１５のアラインメントは、ＵＥ８０４の不連続受信（ＤＲＸ）期間８２３に対応する基地局８０２の不連続送信（ＤＴＸ）期間８１７における送信のための信号バースト８１５を提供すること、またはＵＥ８０４のＤＴＸ期間に対応する基地局８０２のＤＲＸ期間８１９における受信のための信号バースト８１５を提供することを含み得る。バースト８１５の、本装置および方法により提供されるそれぞれのＤＲＸ期間との一致は、例えば、ワイヤレス通信システム８００内のエネルギー効率および／または性能を改善し得る。例えば、１つの態様において、信号パターン８１４は、ビットマスクであり得るが、他の技法および／またはメカニズムが、信号パターン８１４を定義するために使用され得ることが理解されるべきである。
【００６７】
[0082]さらに、可変の密度信号送信または受信を達成するために、信号バースト８１５は、信号パターン８１４によって定義される信号の一部のみであり得ることが理解されるべきである。例えば、ある態様において、信号パターン８１４は、接続されたモード緊急高速検出のためのように、例えば、ＵＥ８０４が既に基地局８０２と通信している場合のために、比較的低い検出可能性を有する信号の生成を引き起こすために、第１の、比較的低い信号密度を提供し得る。他方では、信号パターン８１４は、ＵＥ８０４がまだ基地局８０２と通信していない場合、ＵＥ８０４による発見のために、例えば信号バースト８１５のような、比較的高い検出可能性を有する信号の生成を引き起こすために、第２の、比較的高い信号密度を提供し得る。すなわち、信号パターン８１４は、ほとんどの不連続送信（ＤＴＸ）および／または不連続受信（ＤＴＲ）関連のシグナリングを、従来の技法と比較して、比較的より短いバースト、例えば信号バースト８１５に集中させることができ、それによって信号の存在のない比較的より長い持続時間を提供する。
【００６８】
[0083]例えば、ある態様において、信号パターン８１４は、基地局８０２が、例えば信号８１０からＵＥ８０４に、信号を送信するために送信機を動作するためのような、信号送信パターンを定義し得る。ある態様において、送信された信号８１０は、例えば、基地局８０２によって送信された基準信号またはブロードキャスト信号であり得る。例えば、基準信号は、プライマリ同期信号（ＰＳＳ）、セカンダリ同期信号（ＳＳＳ）、共通基準信号（ＣＲＳ）、共通基準信号（ＣＲＳ）、およびチャネル状態情報基準信号（ＣＳＩ−ＲＳ）のうちの１つ以上を含み得るが、これらに限定されない。基地局８０２によって送信された他のブロードキャスト信号は、システム情報信号、またはページング信号といった信号を含み得るが、これらに限定されない。
【００６９】
[0084]さらに、代替的なまたは追加の態様において、信号パターン８１４は、第１の周期性にしたがう第１のセットの信号の送信、および第２の周期性にしたがう第２のセットの信号の送信を定義し得、ここにおいて、第１の周期性は、実質的に第２の周期性よりも大きい。すなわち、信号バースト８１５に関連する第１のセットの信号の上述した相対密度と組み合わされる場合、第１のセットの信号は、信号バースト８１５と比較して信号の存在なしで比較的より短い最大持続時間を提供する。いくつかのケースにおいて、例えば、信号パターン８１４は、ＵＥ８０４による接続されたモード緊急検出をサポートするための第１の周期性にしたがう同期信号の送信、およびＵＥ８０４による発見をサポートするための、第２の周期性、例えば信号バースト８１５、にしたがう同期信号の同一のセットまたは異なるセットを送信することを構成する。さらに、いくつかの態様において、信号パターン８１４は、第１の周期性にしたがう一定の周期性を有する１つまたは複数の信号の送信、および第２の周期性にしたがう不規則な周期性を有する１つまたは複数の信号を送信することを構成する。さらに、いくつかの態様において、信号パターン８１４は、信号の所与のセットの異なるインスタンスにおける少なくとも１つの信号の間の、または第１の周期性および第２の周期性を有する信号の異なるセットにおける少なくとも１つの信号の間の、異なる持続時間を有する１つまたは複数の信号の送信を構成する。いくつかのケースにおいて、異なる周期性、信号の異なるセット、および／または異なる信号持続時間が、ミューティング構成（muting configuration）または再使用要素または任意の他のフィルタリングメカニズムによりさらに定義され得、ここで信号のうちの特定の１つは、信号パターン８１４と関連して、ミュートされる（muted）、または特定のインスタンスにおいて使用されない。例えば、信号の「ミューティング（muting）」は、例えば、所与のビットマスク、ミューティングパターン、信号フィルタ、または信号または信号のセットのいくつかの他の送信属性等に基づいて、信号のセットのいくつかが、所与の期間内で送信され得る、または送信されないことがあることを意味する。さらに、信号パターン８１４が基地局８０２のための信号送信パターンを定義する態様において、信号パターン８１４は、基地局８０２のための動作の不連続送信（ＤＲＸ）モード、およびＵＥ８０４のための動作の対応する不連続受信（ＤＲＸ）モードを定義するために使用され得る。
【００７０】
[0085]本説明は、第１の周期性および第２の周期性の例を使用しているが、本装置および方法は、２つ以上の異なる周期性を定義する信号パターン８１４を含むことが理解されるべきである。
【００７１】
[0086]さらに、信号パターン８１４が基地局８０２の信号送信パターンを定義する別の態様において、信号パターン８１４は、基地局８０２からの送信をリッスンするためにＵＥ８０４のためのウェイクアップ期間を取得、決定、またはそうでなければ定義するための根拠として使用され得る。例えば、基地局送信パターンを備える信号パターン８１４は、基地局不連続送信（ＤＴＸ）タイミングを定義し得る。したがって、信号パターン８１４は、基地局ＤＴＸタイミングに対応する、ＵＥ信号受信パターン、例えばＵＥ ＤＲＸ、を含むＵＥ８０４のためのウェイクアップ構成を取得するために使用され得る。
【００７２】
[0087]別の例において、信号パターン８１４は、信号、例えばＵＥ８９４からの信号８１２、を受信するための受信機を動作するために、基地局８０２のためのパターンといった受信パターンを定義し得る。代わりに、またはそれに対応して、信号パターン８１４は、信号を基地局８０２に送信するための送信機を動作するために、ＵＥ８０４のためのパターンといった送信パターンを定義し得る。ある態様において、受信された信号８１２は、例えば、ＵＥ８０４によって送信されたアップリンク信号であり得る。例えば、アップリンク信号は、データ信号、スケジューリング要求（ＳＲ）信号、チャネル品質インジケータ（ＣＱＩ）信号、復調基準信号（ＤＭ−ＲＳ）、サウンディング基準信号（ＳＲＳ）、および物理ランダムアクセス（ＰＲＡＣＨ）信号のうちの１つ以上を含み得るが、これらに限定されない。どのような場合でも、信号パターン８１４のこれらの態様は、基地局８０２のための動作の不連続受信（ＤＲＸ）モード、および／またはＵＥ８０４のための動作の対応する不連続送信（ＤＴＸ）モードを定義するために利用され得る。
【００７３】
[0088]このように、この例の態様において、信号パターン８１４は、１つまたは複数の信号が、異なる信号密度で、および／または異なる周期性で、基地局８０２において受信される、またはＵＥ８０４から送信される、基地局信号受信パターンまたはＵＥ信号送信パターンを定義し得る。いくつかのケースにおいて、例えば、信号パターン８１４は、ＵＥ８０４によって送信されたアップリンク信号を、従来のＵＥ送信技法と比較して相対的により短いバーストに集中させる。
【００７４】
[0089]さらに、いくつかの態様において、基地局信号受信パターンまたはＵＥ信号送信パターンを定義する信号パターン８１４は、ＵＥ８０４のための１つまたは複数のランダムアクセスチャネル（ＲＡＣＨ）構成を取得、決定、またはそうでなければ定義するための根拠として使用され得る。例えば、基地局８０２の信号受信パターンのための異なる信号密度および／または異なる信号周期性を定義する信号パターン８１４は、第１の周期性を有する信号受信パターンに対応する異なるランダムアクセスチャネル（ＲＡＣＨ）構成と、信号受信パターンに対応する第２のＲＡＣＨ構成とを定義するために使用され得る。例えば、第１のＲＡＣＨ構成および第２のＲＡＣＨ構成の組み合わせは、基地局８０２の休止時間（dormant time）に対応する希薄なＲＡＣＨ機会（sparse RACH opportunities）、および基地局８０２のアクティブな受信時間に対応する密集したＲＡＣＨ機会（dense RACH opportunities）を定義し得る。
【００７５】
[0090]さらに、いくつかの態様において、信号パターン８１４は、制御および／またはページング信号のためのパターンをさらに定義し得る。例えば、基地局８０２のための上述された可変の密度ＤＴＸおよび／またはＤＲＸ構成を用いると、ページングおよび／または制御シグナリング負荷は、結果として生じたＤＴＸおよび／またはＤＲＸショートバースト期間中、（従来の技法と比較して）比較的高くあり得る。このように、１つの態様において、信号パターン８１４は、上述のように、異なる信号密度および／または周期性の間、制御信号の異なるセットを定義する。例えば、ある態様において、信号パターン８１４は、第１の比較的低い信号密度と関連付けられる制御信号の第１のセットにおける制御信号の数よりも実質的に大きい、第２の比較的より高い信号密度と関連付けられる制御信号の第２のセットにおける制御信号の数を定義する。あるいは、またはさらに、別の態様において、信号パターン８１４は、クイックページングチャネル上のクイックページのような、しかしこれに限定されない、ウェイクアップメッセージを送信することを定義し、ここにおいてウェイクアップメッセージは、第２の周期性の間に送信された１つまたは複数の信号に対応するサブフレーム間ウェイクアップインジケータを含み得る。すなわち、本装置および方法の特定の態様は、同一のＤＲＸウェイクアップ期間に多数のＵＥを入れ得るので、基地局は、多くのＵＥが同時にウェイクアップされる必要がある場合、何らかの困難さ、例えばリソース制約によるもの、を有し得る。例えば、基地局は典型的に、ＰＤＣＣＨおよび付随する（accompanying）ＰＤＳＣＨ伝送上でダウンリンク（ＤＬ）許可を送ることによってＵＥをウェイクアップする。ウェイクアップメッセージを提供することにより、本装置および方法は、データを送ることをスキップし、単に許可を送ることができる。結果として、これらの態様のウェイクアップメッセージは、ＵＥをウェイクアップし、ＵＥにデータの再送信を探し求めさせ得る。あるいは、またはさらに、いくつかの態様において、本装置および方法は、第１のサブフレームにおいてデータを送らないことがあるが、ＰＤＣＣＨは輻輳し得る。いずれの場合でも、ウェイクアップメッセージは、ＰＤＣＣＨおよび付随するＰＤＳＣＨ伝送上で完全なＤＬ許可を送らず、単にＵＥにウェイクアップ指示を送ることによって、上述の問題を軽減することができる。
【００７６】
[0091]したがって、ＤＲＸ期間とアラインされた信号バースト８１５を定義する信号パターン８１４は、経時的に可変の信号密度を提供する異なる周期性および／または異なる信号密度を結果としてもたらし、それによって、従来の技術の比較的分配された送信と比較すると、バースト性の信号送信の短い期間の後に、送信なしの実質的に長い期間が続くことを可能にする。例えば、第１の信号密度は、第２の信号密度よりも実質的に小さくあり得るため、例えば、第１のセットの信号および第２のセットの信号の組み合わせは、改善された省エネルギーのための十分な休止期間（dormant periods）を提供する一方で、同時に、通信遅延および／またはユーザ輻輳を回避するために、十分なシグナリングを提供する。すなわち、第１の信号密度は、第２の信号密度と比較すると、信号の存在のないより短い最大持続時間を提供する。したがって、本装置および方法にしたがうと、信号パターン８１４は、基地局８０２および／またはＵＥ８０４においてアイドル時間を増加することができ、それによってエネルギー効率を改善し得る。
【００７７】
[0092]さらに、基地局８０２は、信号パターン８１４に基づいて基地局リソースを構成するように動作可能なリソース構成コンポーネント８１６を含み、ＵＥ８０４および／または基地局８０２の不連続受信（ＤＲＸ）期間を信号バースト８１５とアラインすることを含む。例えば、リソース構成コンポーネント８１６は、送信機、受信機、トランシーバ、送信チェーンハードウェアおよび／またはソフトウェア、受信チェーンハードウェアおよび／またはソフトウェア、または信号パターン８１４にしたがって信号８１０を送信するように、または信号８１２を受信するように動作するための、任意の他の信号関連のコンポーネントを構成し得る。いくつかの態様において、基地局送信を定義する信号パターン８１４は、ＵＥ８０４に知られていないこともあることが理解されるべきである。しかしながら、他のオプションの態様において、リソース構成コンポーネント８１６は、信号パターン８１４にしたがって基地局送信を受信するための情報をＵＥ８０４に提供するためにメッセージ８１８を生成し送信するために、基地局８０２を動作する。例えば、メッセージ８１８は、信号パターン８１４に対応するＵＥ８０４の動作のウェイクアップモードを定義するウェイクアップ構成であり得る。別の例において、メッセージ８１８は、信号パターン８１４を識別する信号タイミングインジケータを含み得る。
【００７８】
[0093]さらに、基地局８０２は、信号８１０を送信するように、または信号８１２を受信するように動作可能なリソース利用コンポーネント８２０を含み、各々は、経時的に可変の密度信号送信または受信を達成するために信号パターン８１４にしたがう、信号バースト８１５をオプションとして含む。例えば、リソース利用コンポーネント８２０は、送信機、受信機、トランシーバ、送信チェーンハードウェア、および／またはソフトウェア、受信チェーンソフトウェア、および／またはソフトウェア、または任意の他の信号関連のコンポーネントであり得る。
【００７９】
[0094]ワイヤレス通信システム８００のＵＥ８０４は、基地局８０２から送信された信号８１０、例えば基準信号を受信するように構成された、受信機コンポーネント８２２を含み得る。例えば、受信機コンポーネント８２２は、基地局８０２のＤＴＸ期間８１７とアラインされ得るＤＲＸ期間８２３の間、信号バースト８１５を含む、信号を受信するように構成され得る。さらに、ＵＥ８０４は、基地局８０２に、信号８１２、例えばアップリンク信号を送信するように構成された送信機コンポーネント８２４を含み得る。例えば、送信機コンポーネント８２４は、基地局８０２のＤＲＸ期間８１９とアラインされ得るＤＲＸ期間８２５の間、信号バースト８１５を含む、信号を送信するように構成され得る。受信機コンポーネント８２２および送信機コンポーネント８２４は、一般的に、送信機、受信機、トランシーバ、送信チェーンハードウェア、および／またはソフトウェア、受信チェーンハードウェア、および／またはソフトウェア、または任意の他の信号関連のコンポーネントの１つ以上を含む、通信コンポーネントの一部であり得る。
【００８０】
[0095]オプションとして、ＵＥ８０４は、受信機コンポーネント８２２を構成するように動作可能な信号タイミング決定器コンポーネント８２６、および／または信号パターン８１４にしたがって、またはそれに対応するように動作する送信機コンポーネント８２４を含み得る。例えば、ある態様において、信号タイミング決定器コンポーネント８２６は、ウェイクアップ構成または信号タイミングインジケータを含む、メッセージ８１８を受信し、それに応じて受信機コンポーネント８２２および／または送信機コンポーネント８２４を構成し得る。例えば、ウェイクアップ構成を受信すると、信号タイミング決定器コンポーネント８２６は、受信機コンポーネント８２２を基地局信号送信タイミングに対応する周期性および／または持続時間にしたがってウェイクアップするように構成し得る。さらに、基地局８０２からの送信された信号８１０の、バースト性、例えば信号密度、を識別する信号タイミングインジケータを受信する１つの態様において、信号タイミング決定器コンポーネント８２６は、受信機コンポーネント８２２を、送信された信号８１０のバースト性にしたがってウェイクアップするように構成し得る。すなわち、信号タイミング決定器コンポーネント８２６は、受信機８２２を、基地局８０２のＤＴＸ期間８１７とアラインされ得るＤＴＸ期間８２３の間、信号バースト８１５を含む、信号を受信するように構成し得る。信号タイミングインジケータが基地局８０２に送られた信号８１２のためのＵＥ送信信号タイミングを識別する態様のような、別の例において、信号タイミング決定器コンポーネント８２６は、送信機コンポーネント８２４を信号タイミングインジケータにしたがって送信するように構成し得、それは、基地局８０２の動作のＤＴＸモードに対応し得る。すなわち、信号タイミング決定器コンポーネント８２６は、送信機コンポーネント８２４を、基地局８０２のＤＲＸ期間８１９とアラインされ得るＤＴＸ期間８２５の間、信号バースト８１５を含む、信号を送信するように構成し得る。
【００８１】
[0096]したがって、本装置および方法にしたがうと、ワイヤレス通信システム８００の基地局８０２およびＵＥ８０４は、変更された送信関連のおよび／または受信関連のリソースに基づいてエネルギー効率の良いシグナリングのために構成され、それによってエネルギー使用を低減させる。ある態様において、本装置および方法は、ニューキャリアタイプ（ＮＣＴ）またはエクステンションキャリアを送信することに、または基地局、ユーザ機器、中継器、フェムトノード、遠隔無線ヘッド（ＲＲＨ）、加入者宅内機器（ＣＰＥ）、およびユーザ機器中継器のいずれかの任意の送信に適用され得る。さらに、他の態様において、本装置および方法は、別のセルおよび別のキャリアの少なくとも１つを用いて信号パターンにしたがって信号を送信または受信することを協調することをさらに含み得、それによってネットワークまたはシステム全体の効率性を増加させる。
【００８２】
[0097]図９を参照すると、本装置および方法の１つの態様において、例えば、信号パターン８１４（図８）から結果として生じ得る、例示的な送信パターン９００は、第１の信号密度を有する１つまたは複数の信号９０４の第１のセット９０２、および第２の信号密度を有する１つまたは複数の信号９０６の第２のセット、例えば信号バースト８１５を定義する。さらに、例えば、基準信号またはブロードキャスト信号を送信することのある態様において、第１のセット９０２および第２のセット、例えば信号バースト８１５、の各々は、プライマリ同期信号（ＰＳＳ）、セカンダリ同期信号（ＳＳＳ）、共通基準信号（ＣＲＳ）、チャネル状態情報基準信号（ＣＳＩ−ＲＳ）、システム情報信号、およびページング信号のうちの１つまたは複数の任意の組み合わせを含み得る。また、このような信号の各タイプは、所与のセットにおけるメンバーシップ、または信号がセットの所与のインスタンスで送信されるかどうかを定義する、信号特有の配置または構成を有し得る。
【００８３】
[0098]図９において、単一の信号として表されている第１のセット９０２のうちの１つまたは複数の信号９０４は、信号のセットが密度期間とも称され得る任意の所与の送信発生の間送信され、同一の信号または異なる信号であり得る１つより多い信号を含み得ることが理解されるべきである。例えば、ある態様において、第１のセット９０２のうちの１つまたは複数の信号９０４は、２つの連続したシンボルにおいて、またはそれらの間における１つの余分のシンボルを用いて送信されるＣＳＩ−ＲＳ信号であり得る。他の態様において、例えば、第１のセット９０２のうちの１つまたは複数の信号９０４は、同期信号であり得る。
【００８４】
[0099]また、１つまたは複数の信号９０６の第２のセット、例えば信号バースト８１５は、複数の異なる信号として表されていることが理解されるべきである。そのような複数の１つまたは複数の信号９０６は、同一の信号のセット、または異なる信号のセット、または信号の可変のセットを含み得る。１つの態様において、例えば、信号バースト８１５の１つまたは複数の信号９０６は、ページングおよび／またはシステム情報信号といった信号９１２、および同期信号９１４を含み得る。信号バースト８１５における同期信号９１４は、第１のセット９０２の１つまたは複数の信号９０４において使用される同期信号と同一の信号であり得るが、信号バースト８１５の時間期間または持続時間の間の信号バースト８１５における同期信号、例えば信号９１４の密度は、１つまたは複数の信号９０４の第１のセット９０２における対応する同期信号の密度よりも大きいことが理解されるべきである。例えば、限定するものであると解釈されるべきでない１つのケースにおいて、図９の信号バースト８１５の持続時間の間、第１のセット９０２は、同期信号であり得る３つの信号９０４を含む一方で、第２のセットまたは信号バースト８１５は、同期信号であり得る８つの信号９１４を含む。そのため、信号バースト８１５の同期信号９１４は、信号バースト８１５の持続時間の間、第１のセット９０２の信号９０４よりもほぼ３倍密度が高い。
【００８５】
[00100]さらに、第１の信号密度を有する１つまたは複数の信号９０４の第１のセット９０２、および第２の信号密度を有する１つまたは複数の信号９０６の第２のセット、例えば信号バースト８１５は、同一の信号または信号のセット、または異なる信号または信号のセットであり得る。例えば、１つの態様において、第１のセット９０２の１つまたは複数の信号９０４は、周波数における中央６つのリソースブロック（ＲＢ）を占有する信号であり得る一方で、信号バースト８１５内の同一の６つのＲＢ信号は、同時に複数の周波数上で送信され得る。別の例において、信号バースト８１５は、規則的な２Ｔｘパターンよりも密度が高いことが望まれ得るが、それはレガシーＵＥによって理解されるので、それらはそれらの周りのレートをマッチすることができる。したがって、このケースにおいて、第１のセット９０２の１つまたは複数の信号９０４は、２つの送信（Ｔｘ）ポートＣＳＩ−ＲＳパターンを使用し得る一方で、信号バースト８１５は、同一のＣＳＩ−ＲＳ信号を、しかし８Ｔｘパターンを用いて使用し得、各アンテナにおいて、同一の信号は、４回繰り返される。その結果が、８Ｔｘパターンが、規則的な２Ｔｘパターンよりも高い信号バースト８１５の密度、およびレガシーＵＥによって理解され得る構成の両方を達成し得る構成である。
【００８６】
[00101]図９に示されるように、信号バースト８１５は単に信号の規則的なセットの表現であるにすぎず、他のセットおよび信号のパターンは、信号バースト８１５に含まれ得ることが理解されるべきである。不規則な配置に関する理由は、例えば、異なるセルがいくつかの干渉ダイバーシチを作るために信号バースト８１５内の疑似ランダムパターンを使用すること、ＰＳＳ／ＳＳＳがいくらか不規則であるＣＲＳシンボルを飛ばして（skipping over）サブフレームにおける複数のシンボル上で送信されること、信号バースト８１５がＭＢＳＦＮサブフレームに存在する場合、特定の実現される規格にしたがって、いくつかのサブフレームは他の情報のために確保され得るので、信号バースト８１５を搬送し得ないことがあり、例えば、いくつかのケースにおいて信号バースト８１５は１０個のサブフレーム期間においてサブフレーム＃０、４、５、９を飛ばし得、またはいくつかの他のケースにおいて信号バースト８１５は、レガシー同期信号およびシステム情報ブロック（ＳＩＢ）に使用されるために、サブフレーム＃０および＃５を飛ばし得ること、のうちの１つ以上であり得る。
【００８７】
[00102]さらに、１つまたは複数の信号９０４の第１のセット９０２は、第１の周期性９０８を含み得る一方で、１つまたは複数の信号９０６の第２のセット、例えば信号バースト８１５は、第２の周期性９１０を含み得る。ある態様において、例えば、第１の周期性９０８は、第２の周期性９１０と実質的に異なる。この図において、例えば、第１の周期性９０８は、第２の周期性９１０よりも実質的に小さい。
【００８８】
[00103]いくつかのケースにおいて、第１の周期性９０８および第２の周期性９１０の各々は、規則的または不規則であり得る。改善された省エネルギーに関して、例えば、基地局８０２（図８）による基準信号（例えば、ＰＳＳ／ＳＳＳ、ＣＳＩ−ＲＳ、ＣＲＳ等）の送信は、例えば一定のインターバルを有する必要がないなど、「規則的（regular）」である必要はない。むしろ、この送信は、信号の少なくとも２つの異なる物理的な制約、および／または同一の信号であるが異なる構成（例えば、周期性、ミューティング構成、再使用要素等）を有する信号のうちの少なくとも１つを使用し得る。さらに、「不規則な（irregular）」周期性、例えば、可変のインターバルを有する周期性は、省エネルギーのために使用されないことがあるが、信号検出目的のために使用され得る。例えば、ＰＳＳおよびＳＳＳは、２つの異なる周期性を用いて配置され得、ここで１つの周期性は、「無限大の（infinite）」持続時間（例えば、別の無線リソース制御（ＲＲＣ）構成またはブロードキャストメッセージまたは信号タイミングインジケータが新しい周期性を定義するまで）を有する１秒毎であり、他の周期性は２０ミリ秒の持続時間について５ミリ秒毎であるので、ＰＳＳおよびＳＳＳは、以下のサブフレーム、０、５、１０、１５、２０、１０００、１００５、１０１０、１０１５、１０２０等において送信される。この例において、第１の周期性は、基地局８０２（図８）およびＵＥ８０４（図８）の間の通信を維持するために、「キープアライブ（keep-alive）」目的を提供する一方で、第２の周期性は、例えば接続されたモード高速検出のための、特にアクティブなＵＥ８０４（図８）のための、「性能駆動性（performance-driven）」として定義され得る。
【００８９】
[00104]さらに、いくつかの態様において、所与の信号送信期間または密度期間の持続時間は、第１のセット９０２および第２のセット、例えば信号バースト８１５、の間で、または所与のセットの異なるインスタンス間で異なり得る。したがって、１つまたは複数の信号９０４の第１のセット９０２、および１つまたは複数の信号９０６の第２のセット、例えば信号バースト８１５、の異なる周期性および信号密度は、省エネルギーを作るために十分大きいが、データ通信遅延および／またはユーザ輻輳を回避するために互いに充分に近い信号属性を提供する。
【００９０】
[00105]図１０を参照すると、本装置および方法の１つの態様において、例えば、信号パターン８１４（図８）から結果として生じ得る、別の例示的な送信パターン１０００は、第１の信号密度を有する１つまたは複数の信号１００４の第１のセット１００２、および第２の信号密度を有する１つまたは複数の信号１００８の第２のセット１００６を定義する。さらに、１つまたは複数の信号１００４の第１のセット１００２は、第１の周期性１０１０を有し得る一方で、１つまたは複数の信号１００８の第２のセット１００６は、第２の周期性１０１２を有し得、第１の周期性１０１０は、第２の周期性１０１２とは実質的に異なる。この例において、例えば第１の周期性１０１０は、第２の周期性１０１２より小さくまたは実質的に小さくあり得る。
【００９１】
[00106]さらに、いくつかの態様において、第１のセット１００２の１つまたは複数の信号１００４および／または第２のセット１００６の１つまたは複数の信号１００８は、異なるインスタンスにおいて、信号の異なるセットを各々備え得る。例えば、第１のセット１００２の第１のインスタンスは、信号１００４を含み得る一方で、第１のセット１００２の後のインスタンスは信号１０１４を含み得、信号１０１４は、信号１００４に対して異なるタイプおよび／または信号の数である。同様に、第２のセット１００６の第１のインスタンスは、信号１００８を含み得る一方で、第２のセット１００６の後のインスタンスは信号１０１６を含み得、信号１０１６は、信号１００８に対して異なるタイプおよび／または信号の数である。さらに、そのような信号の各タイプは、所与のセットにおけるメンバーシップまたは信号がセットの所与のインスタンスにおいて送信されるかどうかを定義する、信号特有の配置または構成を有し得る。あるいは、またはさらに、各セットの各インスタンスにおける異なる信号は、各信号または信号の各セットのビットマップ、属性または送信特性、ミューティング、またはフィルタリング、または再使用パターン等により制御され得る。
【００９２】
[00107]さらに、いくつかの態様において、所与の信号の持続時間は、第１のセット１００２および第２のセット１００６の間、または所与のセットの異なるインスタンス間で異なり得る。したがって、１つまたは複数の信号１００４の第１のセット１００２および１つまたは複数の信号１００８の第２のセット１００６の異なる周期性および信号密度は、省エネルギーを作るのに十分大きいが、データ通信遅延および／またはユーザ輻輳を回避するために互いに充分に近い信号属性を提供する。
【００９３】
[00108]さらに、１つまたは複数の信号１００８の第２のセット１００６は、１つまたは複数の信号１００８を少なくとも部分的に受信し得る１つまたは複数のＵＥのＤＲＸ期間とアラインされ得る。例えば、１つの非限定的な態様において、１つまたは複数の信号１００８の第２のセット１００６は、第１のＵＥの１つまたは複数のＤＲＸ期間１０１８の第１のセット１０２２、および第２のＵＥの１つまたは複数のＤＲＸ期間１０２０の第２のセット１０２４とアラインされ得る。したがって、第１のＵＥの１つまたは複数のＤＲＸ期間１０１８および第２のＵＥの１つまたは複数のＤＲＸ期間１０２０は、互いに、および１つまたは複数の信号１００８の第２のセット１００６とアラインされる。ある態様において、本態様にしたがうシステムにおけるＵＥのＤＲＸ期間は、同一になるように設定され得、例えば、第１のＵＥの１つまたは複数のＤＲＸ期間１０１８および第２のＵＥの１つまたは複数のＤＲＸ期間１０２０は、それらが同一の時間期間内で生じるように、完全に同じに（identically）アラインされ得る。
【００９４】
[00109]図９および１０は、送信パターンの２つの例であるが、多くの他の送信パターン配置が本装置および方法によって意図されることが理解されるべきである。例えば、単純な（しかし必ずしも最も一般的ではない）例において、第１のセットの信号は、５ミリ秒毎に生じる単一の信号であり得る。さらに、信号の第２のセットは、５ミリ秒の持続時間を有する、ｎ ｘ １．２８秒毎（例えば、ｎは１６であり得る）に生じ得、それによって信号バーストを定義する。例えば、信号バーストは、第１のセットの信号などの場合、同一の信号の複製の密度の高いパターン（上述したように、ミューティング、再使用等により異なるインスタンスにおいて異なり得る）を含み得、信号バーストは、第１のセットの信号のパターンを中断（interrupt）し得ない。
【００９５】
[00110]図１１を参照すると、ワイヤレス通信システムの方法１１００は、ブロック１１０２において、信号を送信または受信することに使用するためのリソースを定義する信号パターンを取得することを含み、信号は、信号バーストを定義する複数の信号を含む。
【００９６】
[00111]さらに、ブロック１１０４において、方法１１００は、不連続受信（ＤＲＸ）期間を信号バーストとアラインすることを含む、信号パターンに基づいてリソースを構成することを含む。
【００９７】
[00112]さらに、ブロック１１０６において、方法１１００は、経時的に可変の密度信号送信または受信を達成するために信号パターンにしたがって、ＤＲＸ期間とアラインされた信号バーストを含む、信号を送信または受信することを含む。
【００９８】
[00113]方法１１００は、上述したように、基地局８０２（図８）の動作のエンハンストＤＴＸモードおよび／またはＵＥ８０４（図８）のエンハンストＤＲＸウェイクアップモードを提供し得る。
【００９９】
[00114]あるいは、またはさらに、方法１１００はまた、上述したように、基地局８０２（図８）の動作のエンハンストＤＲＸモードを提供し得る。
【０１００】
[00115]あるいは、またはさらに、方法１１００はまた、集中された、または非分散された、ＵＥウェイクアップ時間、例えば動作の基地局ＤＴＸモードに対応する動作のＵＥ ＤＲＸモード、を提供し得る。このケースにおいて、方法１１００は、ＵＥ ＤＲＸメンテナンスシグナリングにおける低減によりオーバーヘッドを低減させる。
【０１０１】
[00116]あるいは、またはさらに、方法１１００は、比較的高い信号密度の間増加された制御オーバーヘッド、および／またはサブフレーム間ウェイクアップ指示を有するウェイクアップメッセージを送信することを含む、シグナリングおよび／またはページシグナリングを制御するエンハンスメントを提供し得る。
【０１０２】
[00117]あるいは、またはさらに、方法１１００はまた、別のセルまたは別のキャリアの少なくとも１つを用いた信号パターンにしたがって信号を送信または受信することを協調することを含み得、それによってネットワークまたはシステム全体の効率性を増大させる。
【０１０３】
[00118]図１２を参照すると、ある態様において、基地局またはＵＥまたはそれらの一部といったワイヤレス通信装置１２００は、信号を送信または受信するために使用するためのリソースを定義する信号パターンを取得するための電気コンポーネント１２０２を含み、信号は、信号バーストを定義する複数の信号を含む。さらに、装置１２００は、不連続受信（ＤＲＸ）期間を信号バーストとアラインすることを含む、信号パターンに基づいてリソースを構成するための電気コンポーネント１２０４を含み得る。さらに、装置１２００はまた、経時的に可変の密度信号送信または受信を達成するために信号パターンにしたがって、ＤＲＸ期間とアラインされた信号バーストを含む、信号を送信または受信するための電気コンポーネント１２０６を含み得る。
【０１０４】
[00119]装置１２００はまた、その中で電気コンポーネント１２０２、１２０４、および１２０６が実現され得るメモリ１２０８を含み得る。さらに、またはあるいは、メモリ１２０８は、電気コンポーネント１２０２、１２０４、および１２０６を実行するための命令、電気コンポーネント１２０２、１２０４、および１２０６に関連するパラメータ等を含み得る。
【０１０５】
[00120]あるいは、またはさらに、装置１２００は、１つまたは複数のプロセッサモジュールを含み得、電気コンポーネント１２０２、１２０４、および１２０６と関連付けられる機能を実行するための命令を保持する、または電気コンポーネント１２０２、１２０４、および１２０６によって定義される命令を実行する、プロセッサ１２１０を含み得る。メモリ１２１０の外側にあると示されているが、電気コンポーネント１２０２、１２０４、および１２０６のうちの１つ以上は、メモリ１２１０内に存在し得ることが理解されるべきである。
【０１０６】
[00121]したがって、装置１２００はさらに、ここに説明される様々な技法を実現し得る。１つの例において、装置１２００は、ここに説明される技法を実行するための、基地局８０２（図８）および／またはＵＥ８０４（図８）を含み得る。
【０１０７】
[00122]図１３を参照すると、１つの態様において、エネルギー効率の良い通信のための方法１３００が示されている。方法１３００は、方法１１００に関連して説明したように、基地局８０２および／またはＵＥ８０４（図８）の動作のエンハンストＤＴＸおよび／またはＤＲＸモードを提供し得る。他の実現において、他のシステムおよび／またはＵＥ、ノードＢ、または通信管理者は、図１３の方法１３００を実現することに使用され得る、図８に示されるものとは異なるコンポーネントを備えることが理解されるべきである。
【０１０８】
[00123]方法１３００は、ブロック１３０２において、第１の密度および第１の周期性を有する第１のセットの信号、および第２の密度および第２の周期性を有する第２のセットの信号を定義する、信号パターンを決定すること（図は、決定することよりもむしろ取得することを示す）を含む。
【０１０９】
[00124]さらに、ブロック１３０４において、方法１３００は、信号パターンに基づく複数の通信デバイス間の通信基準信号を含む。
【０１１０】
[00125]方法１３００は、方法１１００に関連してここに説明される任意の方法または機能を提供し得る。
【０１１１】
[00126]あるいは、またはさらに、方法１３００の信号パターンは、複数の通信デバイスの複数のアラインされた不連続受信（ＤＲＸ）または不連続送信（ＤＴＸ）期間に対応する信号バーストを定義し得る。
【０１１２】
[00127]あるいは、またはさらに、方法１３００の信号パターンにおいて、第２の密度は第１の密度よりも大きくあり得、第２の周期性の第２の期間は第１の周期性の第１の密度よりも小さくあり得る。
【０１１３】
[00128]図１４を参照すると、１つの態様において、エネルギー効率の良い通信のためのワイヤレス通信装置１４００が示されている。装置１４００は、基地局８０２および／またはＵＥ８０４（図８）またはそれらの一部であり得る。他の実現において、他のシステムおよび／またはＵＥ、ノードＢ、または通信管理者は、図１４の装置１４００に対応し得る、図８に示されるものとは異なるコンポーネントを備えることが理解されるべきである。
【０１１４】
[00129]ある態様において、基地局またはＵＥまたはそれらの一部といった装置１４００は、第１の密度および第１の周期性を有する第１のセットの信号および第２の密度および第２の周期性を有する第２のセットの信号を定義する、信号パターンを決定するための電気コンポーネント１４０２を含む。さらに、装置１４００は、信号パターンに基づいて複数の通信デバイス間で基準信号を通信するための電気コンポーネント１４０４を含み得る。
【０１１５】
[00130]装置１４００はまた、その中で電気コンポーネント１４０２および１４０４が実現され得るメモリ１４０６を含む。さらに、またはあるいは、メモリ１４０６は、電気コンポーネント１４０２および１４０４を実行するための命令、電気コンポーネント１４０２、１４０４に関連するパラメータ、等を含み得る。
【０１１６】
[00131]あるいは、またはさらに、装置１４００は、１つまたは複数のプロセッサモジュールを含み得、電気コンポーネント１４０２および１４０４と関連付けられる機能を実行するための命令を保持する、または電気コンポーネント１４０２および１４０４によって定義される命令を実行する、プロセッサ１４０８を含み得る。プロセッサ１４０８の外側にあると示されているが、電気コンポーネント１４０２および１４０４の１つ以上は、プロセッサ１４０８内に存在し得ることが理解されるべきである。
【０１１７】
[00132]したがって、装置１４００はさらに、ここに説明される様々な技法を実現し得る。１つの例において、装置１４００は、ここに説明される技法を実行するための、基地局８０２（図８）および／またはＵＥ８０４（図８）を含み得る。
【０１１８】
[00133]図１５は、例えば、基地局８０２、ＵＥ８０４、信号パターン取得器コンポーネント８０６、装置１２００、装置１４００（図８、１２、および１４を参照）、および／またはそれらのそれぞれのコンポーネントを動作するための処理システム１５１４を用いる装置１５００のためのハードウェア実現の例を示すブロック図である。この例において、処理システム１５１４は、バス１５０２によって一般的に表されるバスアーキテクチャを用いて実現されることができる。バス１５０２は、処理システム１５１４の特定の用途と全体的な設計の制約に依存して、任意の数の相互接続バスおよびブリッジを含むことができる。バス１５０２は、プロセッサ１５０４によって一般的に表された１つまたは複数のプロセッサや、コンピュータ読取可能な媒体１５０６によって一般的に表されたコンピュータ読取可能な媒体を含む、様々な回路を共にリンクさせる。バス１５０２はまた、タイミングソース、周辺機器、電圧レギュレータ、および電力管理回路といった様々な他の回路をリンクさせることもできるが、これらは、当該技術でよく知られているので、これ以上説明しない。バスインタフェース１５０８は、バス１５０２とトランシーバ１５１０との間のインタフェースを提供する。トランシーバ１５１０は、伝送媒体を介して様々な他の装置と通信するための手段を提供する。装置の性質に依存して、ユーザインターフェース１５１２（例えば、キーパッド、ディスプレイ、スピーカー、マイクロフォン、ジョイスティック）も提供されることができる。
【０１１９】
[00134]プロセッサ１５０４は、バス１５０２の管理や、コンピュータ読取可能な媒体１５０６に記憶されたソフトウェアの実行を含む一般的な処理を担当する。ソフトウェアは、プロセッサ１５０４により実行されると、処理システム１５１４に、信号パターン取得器コンポーネント８０６（図８を参照）であり得る、信号パターン取得器コンポーネント１５１６を実行するためのような、任意の特定の装置に関して後に説明される様々な機能を実行させる。コンピュータ読取可能な媒体１５０６はまた、ソフトウェアを実行する際にプロセッサ１５０４によって操作されるデータを記憶するために使用されることができる。
【０１２０】
[00135]したがって、いくつかの態様において、本装置および方法は、ＤＲＸアラインメントに関連する。例えば、１つのケースにおいて、本装置および方法は、信号がＵＥ ＤＲＸ期間、例えば、４０ミリ秒、１．２８秒、または共通のＤＲＸ期間とアラインされる信号の周期的に変わるいくつかの属性、とアラインされるように信号を送るおよび／または受信するように構成される基地局を含む。さらに、いくつかのケースにおいて、本装置および方法は、同一のＤＲＸサブフレームオフセットによって全てのＵＥを構成し（例えば、それらを同時にウェイクアップさせるために）、またはＤＲＸサブフレームオフセットを実質的に限られたサブフレームオフセットのセットの上に分配する基地局を含み得、ここで実質的に限られたセットは、全ての可能なサブフレームオフセットよりも小さい。さらに他の態様において、本装置および方法は、共通のＤＲＸ期間とアラインしていくつかの他の信号属性または構成を変更することを含む。例えば、変更された属性および構成は、ＤＲＸがオンである場合期間の間制御領域を増加させ得る、またはＤＲＸがオンである場合期間の間サブフレーム間スケジューリングを可能にし得る、等であり得る。さらに、他のケースにおいて、本装置および方法は、新しいＵＥのための共通のＤＲＸを構成する、およびレガシーＵＥのための分配されたＤＲＸを使用する、基地局を含み得る。上述したように、共通のＤＲＸは、各ＵＥに割り当てられた同一のＤＲＸ期間および／またはサブフレームオフセット、またはサブフレームオフセットの実質的に限られたセットから割り当てられたサブフレームオフセットであり得る。したがって、本装置および方法は、ＵＥ ＤＲＸとアラインされたＤＴＸを有する基地局を含む。
【０１２１】
[00136]他の代替的なまたは追加の態様において、本装置および方法は、同期信号設計に関連する。例えば、１つのケースにおいて、同一の同期信号は、異なる密度の異なる周期性を有し得、ここで、どちらかの周期性は、規則的または不規則（例えば、後者はビットマップにより説明され得る）であり得、または規則的または不規則（例えば、後者はビットマップにより説明され得る）であり得る１つの期間内に微細構造（fine structure）を有する。異なる周期性に加えて、各密度期間内の信号は、いくらか異なる属性を有し得る。例えば、高密度期間において、ＰＳＳ／ＳＳＳ周波数位置は、変更され得、またはそれは複数の周波数上で複製され得る。別の例は、同一のアンテナから同一の信号を送るためにさらなるＣＳＩ−ＲＳアンテナポートを使用している。
【０１２２】
[00137]さらなる代替的なまたは追加の態様において、本装置および方法は、下位互換性を提供するための技法を含み得る。例えば、ＭＢＳＦＮまたは非ＭＢＳＦＮサブフレームにおいて、本装置および方法は、新しい密度を有する信号とアラインされたレガシーＵＥのためのゼロ出力ＣＳＩ−ＲＳ（ミューティング）を構成し得る。さらに、例えば、ミューティングが他の目的のためにレガシーＵＥのために既に使用されている場合、本装置および方法は、ＤＲＸ期間とアラインされるＭＢＳＦＮサブフレームを構成し、ＭＢＳＦＮ部分、例えばＭＢＳＦＮデータを搬送するために定義されるサブフレームにおいて、「新しい」信号を送り得る。別のケースにおいて、例えば、本装置および方法は、より効率的にｅＰＤＣＣＨを用いて多重化することができるように、これらのサブフレームにおいてＣＳＩ−ＲＳ周波数スパンを限定し得る。
【０１２３】
[00138]当業者は、情報および信号が、任意の様々な異なる技術および技法を使用して表され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【０１２４】
[00139]当業者はさらに、ここでの開示に関連して説明された様々な例示的な論理ブロック、モジュール、回路、およびアルゴリズムのステップが、電子ハードウェア、コンピュータソフトウェア、または両者の組み合わせとして実現され得ることを理解するだろう。ハードウェアおよびソフトウェアのこの互換性を明確に説明するために、様々な例示的なコンポーネント、ブロック、モジュール、回路、およびステップが、それらの機能の観点で一般的に上述されている。このような機能が、ハードウェアとして実現されるか、あるいはソフトウェアとして実現されるかは、特定のアプリケーションおよびシステム全体に課せられる設計制約に依存する。当業者は、説明された機能を、特定の用途ごとに異なる手法で実現することができるが、そのような実現の決定は、本開示の範囲からの逸脱を生じるものとして解釈されるべきではない。
【０１２５】
[00140]ここでの開示に関連して説明された、様々な例示的な論理ブロック、モジュール、および回路は、ここで説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実現または実行されることができる。汎用プロセッサはマイクロプロセッサであり得るが、代替で、プロセッサは任意の従来のプロセッサ、コントローラ、マイクロコントローラ、もしくはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと結合された１つまたは複数のマイクロプロセッサ、または任意の他のそのような構成として、実現されることもできる。
【０１２６】
[00141]ここでの開示に関連して説明された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において周知のその他任意の形状の記憶媒体内に存在し得る。プロセッサが記憶媒体から情報を読み取ったり、記憶媒体に情報を書き込んだりできるように、例示的な記憶媒体はプロセッサに結合されている。あるいは、記憶媒体は、プロセッサに組み込まれ得る。プロセッサおよび記憶媒体は、ＡＳＩＣの中に存在できる。ＡＳＩＣは、ユーザ端末に存在し得る。代替において、プロセッサおよび記憶媒体は、ユーザ端末中にディスクリートコンポーネントとして存在し得る。
【０１２７】
[00142]１つまたは複数の例示的な設計において、説明された機能は、ハードウェア、ソフトウェア、ファームウェア、またはそれらの任意の組み合わせで実現されることができる。ソフトウェアで実現される場合、機能は、コンピュータ読取可能な媒体上で、１つまたは複数の命令またはコードとして、記憶または伝送されることができる。コンピュータ読取可能な媒体は、ある場所から別の場所へのコンピュータプログラムの転送を容易にする任意の媒体を含む通信媒体とコンピュータ記憶媒体の両方を含む。記憶媒体は、汎用または専用コンピュータによってアクセスされることができる任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または専用コンピュータ、または汎用または専用プロセッサによってアクセスされることができる任意の他の媒体を備え得る。また、任意の接続は、コンピュータ読取可能な媒体と厳密には称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して伝送される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ読取可能な媒体の範囲内に含まれるべきである。
【０１２８】
[00143]本開示の先の説明は、本開示を製造または使用することをいずれの当業者にも可能にさせるために提供されている。本開示に対するさまざまな変更は、当業者に容易に理解され、本明細書において定義された一般的な原理は、本開示の精神または範囲から逸脱することなく、他の変形例に適用されることができる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
［Ｃ１］
経時的に可変の信号密度を有する信号を送信または受信することに使用するためのリソースを定義する信号パターンを取得することと、ここにおいて、前記信号は、信号バーストを定義する複数の信号を含む、
不連続受信（ＤＲＸ）期間を前記信号バーストとアラインすることを含む、前記信号パターンに基づいて前記リソースを構成することと、
経時的に可変の密度信号送信または受信を達成するために前記信号パターンにしたがって、前記ＤＲＸ期間とアラインされた前記信号バーストを含む、前記信号を送信または受信することと、を備える、エネルギー効率の良いワイヤレス通信の方法。
［Ｃ２］
前記信号パターンを取得することは、送信パターンを取得することをさらに備え、前記信号を送信または受信することは、ユーザ機器（ＵＥ）のＵＥ ＤＲＸ期間とアラインされた不連続送信（ＤＴＸ）期間において前記送信パターンにしたがって前記信号を送信することをさらに備える、Ｃ１に記載の方法。
［Ｃ３］
複数のＵＥのための共通のＤＲＸサブフレームオフセットを設定することをさらに備え、前記ＵＥ ＤＲＸ期間は、前記共通のＤＲＸサブフレームオフセットに対応する、Ｃ２に記載の方法。
［Ｃ４］
サブフレームオフセットのセット内でそれぞれのＵＥ ＤＲＸ期間を有する複数のＵＥを構成することをさらに備え、前記サブフレームオフセットのセットは、全ての可能なサブフレームオフセットよりも小さく、前記ＵＥ ＤＲＸ期間は、サブフレームオフセットの前記セットに基づく、Ｃ２に記載の方法。
［Ｃ５］
前記送信パターンにしたがって前記信号を送信することは、
第１の密度を有する第１のセットの信号を送信することと、
第２の密度を有する第２のセットの信号を送信することと、をさらに備え、前記第１の密度は、前記第２の密度よりも小さく、前記第２のセットの信号は、前記信号バーストを備える、Ｃ２に記載の方法。
［Ｃ６］
前記第１の密度を有する前記第１のセットの信号を送信することは、第１の周期性を用いて送信することをさらに備え、前記第２の密度を有する前記第２のセットの信号を送信することは、第２の周期性を用いて送信することをさらに備え、前記第１の周期性は前記第２の周期性よりも、信号の存在のないより短い最大持続時間を提供する、Ｃ５に記載の方法。
［Ｃ７］
前記第１の密度を有する前記第１のセットの信号を送信することは、前記ＵＥによる接続されたモード緊急検出をサポートするための前記第１の周期性にしたがって第１の同期信号を備える前記第１のセットの信号を送信することをさらに備え、前記第２の密度を有する前記第２のセットの信号を送信することは、前記ＵＥによる第２の同期信号の発見をサポートするために前記第２の周期性にしたがって前記第２の同期信号を備える前記第２のセットの信号を送信することをさらに備える、Ｃ６に記載の方法。
［Ｃ８］
前記第１の周期性は、一定の周期性を備え、前記第２の周期性は、不規則な周期性を備える、Ｃ６に記載の方法。
［Ｃ９］
前記第１のセットの信号および前記第２のセットの信号は、同一のセットの信号または異なるセットの信号のいずれかを備える、Ｃ５に記載の方法。
［Ｃ１０］
前記第１のセットの信号および前記第２のセットの信号のうちの少なくとも１つは、各密度期間内に異なる属性を有する同一のセットの信号を備える、Ｃ５に記載の方法。
［Ｃ１１］
２つ以上のそれぞれの密度期間の間、前記第１のセットの信号または前記第２のセットの信号のいずれかにおいて、前記信号を変化させることをさらに備える、Ｃ５に記載の方法。
［Ｃ１２］
前記第１の周期性および前記第２の周期性の両方にしたがって前記信号を送信することは、前記第１の周期性および前記第２の周期性の間の異なる持続期間にわたって同一の信号のセットを送信することをさらに備える、Ｃ６に記載の方法。
［Ｃ１３］
前記信号を送信または受信することは、基準信号またはブロードキャスト信号を送信することをさらに備える、Ｃ１に記載の方法。
［Ｃ１４］
基準信号を送信することは、プライマリ同期信号（ＰＳＳ）、セカンダリ同期信号（ＳＳＳ）、共通基準信号（ＣＲＳ）、およびチャネル状態情報基準信号（ＣＳＩ−ＲＳ）のうちの１つ以上を送信することをさらに備え、ブロードキャスト信号を送信することは、システム情報信号およびページング信号のうちの１つ以上を送信することを備える、Ｃ１３に記載の方法。
［Ｃ１５］
前記信号バーストに対応する前記ＵＥ ＤＲＸ期間を決定することと、
前記信号バーストに対応する前記ＵＥ ＤＲＸ期間にしたがってＵＥ ＤＲＸモードの構成を行わせるために前記ＵＥに構成メッセージを送信することと、をさらに備える、Ｃ２に記載の方法。
［Ｃ１６］
前記信号バーストを含む、前記信号パターンを識別する信号タイミングインジケータを生成することと、
前記信号タイミングインジケータを１つまたは複数のユーザ機器（ＵＥ）に送信することと、をさらに備える、Ｃ１に記載の方法。
［Ｃ１７］
前記信号パターンを取得することは、前記信号バーストを含む受信パターンを取得することをさらに備え、
前記信号バーストに対応するユーザ機器（ＵＥ）のＵＥ不連続送信（ＤＴＸ）期間を決定することと、
前記ＵＥ ＤＴＸ期間にしたがってＵＥ ＤＴＸモードの構成を行わせるために前記ＵＥに構成メッセージを送信することと、をさらに備える、Ｃ１に記載の方法。
［Ｃ１８］
前記信号パターンの前記信号バーストに対応する基地局ＤＲＸ期間を構成することをさらに備え、
前記信号を送信または受信することは、前記信号パターンにしたがって前記基地局ＤＲＸ期間において、前記信号バーストを含む、前記信号を受信することをさらに備える、Ｃ１７に記載の方法。
［Ｃ１９］
前記受信パターンを取得することは、第１の信号密度を有する第１のセットの信号および第２の信号密度を有する第２のセットの信号のための前記受信パターンを取得することをさらに備え、前記第１の信号密度は前記第２の信号密度よりも信号の存在のないより短い最大持続時間を提供する、
前記ＵＥのための第１のランダムアクセスチャネル（ＲＡＣＨ）構成および第２のＲＡＣＨ構成を取得することと、ここにおいて、前記第１のＲＡＣＨ構成は前記第１の信号密度を有する前記受信パターンに対応し、前記第２のＲＡＣＨ構成は前記第２の信号密度を有する前記受信パターンに対応する、
前記第１のＲＡＣＨ構成および前記第２のＲＡＣＨ構成を前記ＵＥに送信することとをさらに備える、Ｃ１７に記載の方法。
［Ｃ２０］
前記信号を受信することは、データ信号、スケジューリング要求（ＳＲ）信号、チャネル品質インジケータ（ＣＱＩ）信号、復調基準信号（ＤＭ−ＲＳ）、サウンディング基準信号（ＳＲＳ）、および物理ランダムアクセスチャネル（ＰＲＡＣＨ）信号のうちの１つまたは複数のものを受信することをさらに備える、Ｃ１７に記載の方法。
［Ｃ２１］
前記信号パターンを取得することは、基地局不連続送信（ＤＴＸ）期間の間、前記信号バーストを定義する送信パターンを取得することをさらに備え、
前記基地局ＤＴＸ期間に対応する、サブセットオフセットのセット内の、ユーザ機器（ＵＥ）信号受信パターンを含むＵＥのためのＵＥウェイクアップ構成を取得することと、ここにおいて、サブフレームオフセットの前記セットは、全ての可能なサブフレームオフセットよりも小さく、前記ＵＥ信号受信パターンは、サブフレームオフセットの前記セットに基づく、
前記基地局ＤＴＸ期間にしたがってＵＥウェイクアップ期間の構成を行わせるために前記ＵＥに前記ＵＥウェイクアップ構成を送信することと
をさらに備え、前記信号を送信または受信することは、前記ＵＥウェイクアップ構成に対応する前記基地局ＤＴＸ期間における前記送信パターンにしたがって前記信号バーストを含む前記信号を送信することをさらに備える、Ｃ１に記載の方法。
［Ｃ２２］
前記信号パターンにしたがって前記信号を送信することは、第１の信号密度を有する第１のセットの信号および第２の信号密度を有する第２のセットの信号を送信することをさらに備え、前記第１の信号密度は、前記第２の信号密度よりも信号の存在のないより短い最大持続時間を提供する、
前記第１のセットの信号における第１のセットの制御信号、および前記第２のセットの信号における第２のセットの制御信号を送信することをさらに備え、前記第２の信号密度の間の前記第２のセットの制御信号における制御信号の数は、前記第１の信号密度の間の前記第１のセットの制御信号における制御信号の数よりも大きい、Ｃ１に記載の方法。
［Ｃ２３］
前記信号パターンにしたがって前記信号を送信することは、第１の信号密度を有する第１のセットの信号および第２の信号密度を有する第２のセットの信号を送信することをさらに備え、前記第１の信号密度は、前記第２の信号密度よりも信号の存在のないより短い最大持続時間を提供する、
ウェイクアップメッセージを送信することと、前記ウェイクアップメッセージは、前記第２の信号密度の間に送信される１つまたは複数の信号に対応するサブフレーム間ウェイクアップインジケータを備える、をさらに備える、Ｃ１に記載の方法。
［Ｃ２４］
前記信号パターンにしたがって前記信号を送信または受信することは、ニューキャリアタイプ（ＮＣＴ）またはエクステンションキャリアを送信することをさらに備える、Ｃ１に記載の方法。
［Ｃ２５］
前記信号パターンにしたがって前記信号を送信または受信することは、基地局、ユーザ機器（ＵＥ）、中継器、フェムトノード、遠隔無線ヘッド（ＲＲＨ）、宅内機器（ＣＰＥ）、およびＵＥ中継器のうちの少なくとも１つによって送信または受信することをさらに備える、Ｃ１に記載の方法。
［Ｃ２６］
別のセルおよび別のキャリアのうちの少なくとも１つを用いて前記信号パターンにしたがって前記信号の前記送信または受信を協調することをさらに備える、Ｃ１に記載の方法。
［Ｃ２７］
少なくとも１つのコンピュータに、経時的に可変の信号密度を用いて信号を送信または受信することに使用するためのリソースを定義する信号パターンを取得させるためのコードと、前記信号は、不連続受信（ＤＲＸ）期間とアラインされた信号バーストを定義する複数の信号を含む、
前記少なくとも１つのコンピュータに、前記信号パターンに基づいて前記リソースを構成させるためのコードと、
前記少なくとも１つのコンピュータに、経時的に前記可変の信号密度を達成するために前記信号パターンにしたがって、前記ＤＲＸ期間とアラインされた前記信号バーストを含む、前記信号を送信または受信させるためのコードと、を含むコンピュータ読取可能な媒体を備える、エネルギー効率の良いワイヤレス通信のためのコンピュータプログラム製品。
［Ｃ２８］
経時的に可変の信号密度を用いて信号を送信または受信することに使用するためのリソースを定義する信号パターンを取得するための手段と、前記信号は、不連続受信（ＤＲＸ）期間とアラインされた信号バーストを定義する複数の信号を含む、
前記信号パターンに基づいて前記リソースを構成する手段と、
経時的に前記可変の信号密度を達成するために前記信号パターンにしたがって、前記ＤＲＸ期間とアラインされた前記信号バーストを含む、前記信号を送信または受信する手段と、を備える、エネルギー効率の良いワイヤレス通信のための装置。
［Ｃ２９］
少なくとも１つのプロセッサと、
前記少なくとも１つのプロセッサに結合されたメモリと、を備え、
前記少なくとも１つのプロセッサは、
経時的に可変の信号密度を用いて信号を送信または受信することに使用するためのリソースを定義する信号パターンを取得し、前記信号は、不連続受信（ＤＲＸ）期間とアラインされた信号バーストを定義する複数の信号を含む、
前記信号パターンに基づいて前記リソースを構成し、
経時的に前記可変の密度を達成するために前記信号パターンにしたがって、前記ＤＲＸ期間とアラインされた前記信号バーストを含む、前記信号を送信または受信するように構成される、エネルギー効率の良いワイヤレス通信システムのための装置。
［Ｃ３０］
第１の密度および第１の周期性を有する第１のセットの信号、および前記第１の密度とは異なる第２の密度および前記第１の周期性とは異なる第２の周期性を有する第２のセットの信号を定義する信号パターンを取得することと、
前記信号パターンに基づいて複数の通信デバイス間で基準信号を通信することと、を備える、前記複数の通信デバイス間のエネルギー効率の良いワイヤレス通信の方法。
［Ｃ３１］
前記信号パターンは、前記複数の通信デバイスの複数のアラインされた不連続受信（ＤＲＸ）または不連続送信（ＤＴＸ）期間に対応する信号バーストを定義する、Ｃ３０に記載の方法。
［Ｃ３２］
前記第２の密度は前記第１の密度よりも大きく、
前記第２の周期性の第２の期間は、前記第１の周期性の第１の期間よりも小さい、Ｃ３０に記載の方法。
［Ｃ３３］
前記第１の周期性または前記第２の周期性のうちの少なくとも１つは不規則である、Ｃ３０に記載の方法。
［Ｃ３４］
第１の密度および第１の周期性を有する第１のセットの信号、および前記第１の密度とは異なる第２の密度および前記第１の周期性とは異なる第２の周期性を有する第２のセットの信号を定義する信号パターンを取得するためのコードと、
前記信号パターンに基づいて前記複数の通信デバイス間で基準信号を通信するためのコードと、を含む、コンピュータ読取可能な媒体を備える、エネルギー効率の良いワイヤレス通信のためのコンピュータプログラム製品。
［Ｃ３５］
第１の密度および第１の周期性を有する第１のセットの信号、および前記第１の密度とは異なる第２の密度および前記第１の周期性とは異なる第２の周期性を有する第２のセットの信号を定義する信号パターンを取得するための手段と、
前記信号パターンに基づいて前記複数の通信デバイス間で基準信号を通信するための手段と、を備える、エネルギー効率の良いワイヤレス通信のための装置。
［Ｃ３６］
少なくとも１つのプロセッサと、
前記少なくとも１つのプロセッサに結合されたメモリと、を備え、
前記少なくとも１つのプロセッサは、
第１の密度および第１の周期性を有する第１のセットの信号、および前記第１の密度とは異なる第２の密度および前記第１の周期性とは異なる第２の周期性を有する第２のセットの信号を定義する信号パターンを取得し、
前記信号パターンに基づいて前記複数の通信デバイス間で基準信号を通信するように構成される、エネルギー効率の良いワイヤレス通信のための装置。
［Ｃ３７］
前記信号パターンは、前記複数の通信デバイスの複数のアラインされた不連続受信（ＤＲＸ）または不連続送信（ＤＴＸ）期間に対応する信号バーストを定義する、Ｃ３６に記載の装置。
［Ｃ３８］
前記第２の密度は前記第１の密度よりも大きく、
前記第２の周期性の第２の期間は、前記第１の周期性の第１の期間よりも小さい、Ｃ３６に記載の装置。
［Ｃ３９］
前記第１の周期性または前記第２の周期性のうちの少なくとも１つは不規則である、Ｃ３６に記載の装置。
【図１】
0005992618.tif 000002
【図２】
0005992618.tif 000003
【図３】
0005992618.tif 000004
【図４Ａ】
0005992618.tif 000005
【図４Ｂ】
0005992618.tif 000006
【図５】
0005992618.tif 000007
【図６】
0005992618.tif 000008
【図７】
0005992618.tif 000009
【図８】
0005992618.tif 000010
【図９】
0005992618.tif 000011
【図１０】
0005992618.tif 000012
【図１１】
0005992618.tif 000013
【図１２】
0005992618.tif 000014
【図１３】
0005992618.tif 000015
【図１４】
0005992618.tif 000016
【図１５】
0005992618.tif 000017